(57)【要約】  シリコーン樹脂−直鎖状コポリマーが開示される。シリコーン樹脂−直鎖状コポリマーは、一般式（１）：  （Ｒ１Ｒ２Ｒ３ＳｉＯ１／２）ｘ（Ｒ４ＳｉＯ３／２）ｙ      （１）  ［式中、各Ｒ１、Ｒ２、Ｒ３、及びＲ４は、独立して選択された置換又は非置換ヒドロカルビル基であり、但し、１つの分子中でＲ１、Ｒ２、及びＲ３のうちの少なくとも２つはアリール基であり、ｘ及びｙは各々、ｘ＋ｙ＝１となるように、＞０〜＜１である。］を有する樹脂性構造と、一般式（２）：  （Ｒ５Ｒ６ＳｉＯ２／２）      （２）  ［式中、Ｒ５及びＲ６は、各々独立して選択された置換又は非置換ヒドロカルビル基である。］を有する直鎖状構造と、を含む。シリコーン樹脂−直鎖状コポリマーの最終用途及び関連方法も開示される。【特許請求の範囲】
【請求項１】
シリコーン樹脂−直鎖状コポリマーであって、
一般式（１）：
（Ｒ１Ｒ２Ｒ３ＳｉＯ１／２）ｘ（Ｒ４ＳｉＯ３／２）ｙ      （１）
［式中、各Ｒ１、Ｒ２、Ｒ３、及びＲ４は、独立して選択された置換又は非置換ヒドロカルビル基であり、但し、１つの分子中でＲ１、Ｒ２、及びＲ３のうちの少なくとも２つはアリール基であり、ｘ及びｙは各々、ｘ＋ｙ＝１となるように、＞０〜＜１である。］を有する樹脂性構造と、
一般式（２）：
（Ｒ５Ｒ６ＳｉＯ２／２）      （２）
［式中、Ｒ５及びＲ６は、各々独立して選択された置換又は非置換ヒドロカルビル基である。］を有する直鎖状構造と、を含み、
前記樹脂性構造及び前記直鎖状構造が、シロキサン結合を介して前記シリコーン樹脂−直鎖状コポリマー中で一緒に結合される、シリコーン樹脂−直鎖状コポリマー。
【請求項２】
前記樹脂性構造が、式（Ｐｈ２ＭｅＳｉＯ１／２）ｘ（ＭｅＳｉＯ３／２）ｙを有し、式中、ｘ及びｙは、上記で定義されるものであり、Ｐｈは、フェニル基を表し、Ｍｅは、メチル基を表す、請求項１に記載のシリコーン樹脂−直鎖状コポリマー。
【請求項３】
前記樹脂性構造と前記直鎖状構造との間の前記シロキサン結合が、前記（Ｒ４ＳｉＯ３／２）単位のケイ素原子及び前記直鎖状構造のケイ素原子を含む、請求項１又は２に記載のシリコーン樹脂−直鎖状コポリマー。
【請求項４】
前記樹脂性構造と前記直鎖状構造との間の前記シロキサン結合が、アセトキシシリル基から誘導される、請求項１〜３のいずれか一項に記載のシリコーン樹脂−直鎖状コポリマー。
【請求項５】
前記樹脂性構造と前記直鎖状構造との間の前記シロキサン結合が、ルイス酸触媒を用いた脱水素から誘導される、請求項１〜３のいずれか一項に記載のシリコーン樹脂−直鎖状コポリマー。
【請求項６】
組成物であって、
（Ａ）請求項１〜５のいずれか一項に記載のシリコーン樹脂−直鎖状コポリマーと、
（Ｂ）キャリア流体と、を含む、組成物。
【請求項７】
前記（Ｂ）キャリア流体が、２５℃で（Ｂ１）揮発性流体を含む、請求項６に記載の組成物。
【請求項８】
化粧品組成物として更に定義される、請求項６又は７に記載の組成物。
【請求項９】
請求項１〜５のいずれか一項に記載のシリコーン樹脂−直鎖状コポリマーを含む、フィルム形成剤。
【請求項１０】
請求項１〜５のいずれか一項に記載のシリコーン樹脂−直鎖状コポリマーを含む、接着促進剤。
【請求項１１】
請求項１〜５のいずれか一項に記載のシリコーン樹脂−直鎖状コポリマーを含む、封止材。
【請求項１２】
請求項１〜５のいずれか一項に記載のシリコーン樹脂−直鎖状コポリマーから形成されたフィルムを含む、電子デバイス。
【請求項１３】
電子デバイス上でコンフォーマルコーティングを調製する方法であって、
前記電子デバイス上に組成物を塗布することと、
前記電子デバイス上に前記コンフォーマルコーティングを形成することと、を含み、
前記組成物が、請求項６又は７に記載の組成物である、方法。
【請求項１４】
シリコーン樹脂−直鎖状コポリマーを調製する方法であって、
少なくとも１つのケイ素結合ヒドロキシル基を有する直鎖状オルガノポリシロキサンを、アセトキシシランと反応させて、アセトキシシリル化オルガノポリシロキサンを得ることと、
前記アセトキシシリル化オルガノポリシロキサンを、少なくとも１つのケイ素結合ヒドロキシル基を有するシリコーン樹脂と反応させて、前記シリコーン樹脂−直鎖状コポリマーを得ることと、を含み、
前記シリコーン樹脂−直鎖状コポリマーが、請求項１〜５のいずれか一項に記載のコポリマーである、方法。
【請求項１５】
シリコーン樹脂−直鎖状コポリマーを調製する方法であって、
ルイス酸触媒の存在下で、少なくとも１つのケイ素結合水素原子、ヒドロキシル基、又はアルコキシ基を有する直鎖状オルガノポリシロキサンを、少なくとも１つのケイ素結合水素原子、ヒドロキシル基、又はアルコキシ基を有するシリコーン樹脂と反応させることを含み、
但し、前記直鎖状オルガノポリシロキサンが前記ケイ素結合水素原子を含む場合、前記シリコーン樹脂は、ケイ素結合ヒドロキシル基又はアルコキシ基を含み、前記直鎖状オルガノポリシロキサンが前記ケイ素原子結合ヒドロキシル基又はアルコキシ基を含む場合、前記シリコーン樹脂は、前記ケイ素結合水素原子を含み、
前記シリコーン樹脂−直鎖状コポリマーが、請求項１〜５のいずれか一項に記載のコポリマーである、方法。
【発明の詳細な説明】
【技術分野】
【０００１】
関連出願の相互参照
本出願は、２０１６年１０月４日出願の米国仮特許出願第６２／４０３，９５８号に対する優先権及びその全ての利点を主張するものであり、その内容は参照することにより本明細書に組み込まれる。
【０００２】
本発明は、概して、樹脂−直鎖状コポリマー、より具体的には、シリコーン樹脂−直鎖状コポリマー、その調製方法、及びその様々な最終用途に関する。
【背景技術】
【０００３】
シリコーン樹脂は典型的には、Ｔシロキシ単位（Ｒ０ＳｉＯ３／２）、及び／又はＱシロキシ単位（ＳｉＯ４／２）［式中、Ｒ０は置換基である。］の存在に起因する三次元網目を含む。シリコーン樹脂の特性はとりわけ、架橋密度、及びシロキシ単位のモル分率に応じて異なる。架橋密度が増加することにより、典型的には、より大きな硬度及び／又は剛性を有するシリコーン樹脂が得られる。例えば、Ｔ樹脂は、典型的には、かご状構造を形成し、シリカ又はガラスは、Ｑ単位からなる。
【０００４】
シリコーンポリマーは、典型的には、直鎖状又は部分的に分枝状であり、典型的にはＭシロキシ単位（Ｒ０３ＳｉＯ１／２）でキャップされた、繰り返しＤシロキシ単位（Ｒ０２ＳｉＯ２／２）を含む。シリコーンポリマーは、多くの場合、シリコーンゲル及びエラストマーを調製するために利用され、これは、それらの架橋密度が小さく、三次元ネットワークが存在しないため、シリコーン樹脂ほど剛性又は硬質ではない。
【発明の概要】
【０００５】
本発明は、シリコーン樹脂−直鎖状コポリマーを提供する。シリコーン樹脂−直鎖状コポリマーは、一般式（１）：
（Ｒ１Ｒ２Ｒ３ＳｉＯ１／２）ｘ（Ｒ４ＳｉＯ３／２）ｙ      （１）
［式中、各Ｒ１、Ｒ２、Ｒ３、及びＲ４は、独立して選択された置換又は非置換ヒドロカルビル基であり、但し、１つの分子中でＲ１、Ｒ２、及びＲ３のうちの少なくとも２つはアリール基であり、ｘ及びｙは各々、ｘ＋ｙ＝１となるように、＞０〜＜１である。］を有する樹脂性構造と、一般式（２）：
（Ｒ５Ｒ６ＳｉＯ２／２）      （２）
［式中、Ｒ５及びＲ６は、各々独立して選択された置換又は非置換ヒドロカルビル基である。］を有する直鎖状構造と、を含む。樹脂性構造及び直鎖状構造は、シロキサン結合を介して、シリコーン樹脂−直鎖状コポリマー中で一緒に結合される。
【０００６】
本発明は、更に、組成物を提供する。本組成物は、（Ａ）シリコーン樹脂−直鎖状コポリマーと、（Ｂ）キャリア流体と、を含む。
【０００７】
シリコーン樹脂−直鎖状コポリマーの他の最終用途も開示される。例えば、シリコーン樹脂−直鎖状ポリマーは、フィルム形成剤として、若しくはフィルム形成剤と共に、接着促進剤として、若しくは接着促進剤と共に、封止材として、若しくは封止材と共に、などで利用されてもよい。
【０００８】
シリコーン樹脂−直鎖状ポリマーはまた、優れた物理的特性を有するフィルムを形成する。本発明は更に、シリコーン樹脂−直鎖状コポリマーから形成されたフィルムを含む電子デバイスを提供する。
【０００９】
電子デバイス上にコンフォーマルコーティングを形成する方法も提供される。この方法は、電子デバイス上に組成物を塗布することと、組成物から電子デバイス上にコンフォーマルコーティングを形成することと、を含む。
【００１０】
シリコーン樹脂−直鎖状コポリマーを調製する方法も開示される。第１の実施形態では、本方法は、少なくとも１つのケイ素結合ヒドロキシル基を有する直鎖状オルガノポリシロキサンを、アセトキシシランと反応させて、アセトキシシリル化オルガノポリシロキサンを得ることを含む。この第１の実施形態では、本方法は、アセトキシシリル化オルガノポリシロキサンを、少なくとも１つのケイ素結合ヒドロキシル基を有するシリコーン樹脂と反応させて、シリコーン樹脂−直鎖状コポリマーを得ることを更に含む。
【００１１】
ルイス酸触媒の存在下で、第２の実施形態では、本方法は、少なくとも１つのケイ素結合水素原子、ヒドロキシル基、又はアルコキシ基を有する直鎖状オルガノポリシロキサンを、少なくとも１つのケイ素結合水素原子、ヒドロキシル基、又はアルコキシ基を有するシリコーン樹脂と反応させることを含む。直鎖状オルガノポリシロキサンがケイ素結合水素原子を含む場合、シリコーン樹脂は、ケイ素結合ヒドロキシル基又はアルコキシ基を含み、直鎖状オルガノポリシロキサンがケイ素原子結合ヒドロキシル基又はアルコキシ基を含む場合、シリコーン樹脂は、ケイ素結合水素原子を含む。
【発明を実施するための形態】
【００１２】
本発明は、シリコーン樹脂−直鎖状コポリマーを提供する。シリコーン樹脂−直鎖状コポリマーは、優れた特性を有し、以下により詳細に記載されるように、フィルムを形成するための組成物中での用途を含む、多様な最終用途に十分に適している。シリコーン樹脂−直鎖状コポリマーを調製する方法も開示される。
【００１３】
オルガノポリシロキサンは、［Ｒ３ＳｉＯ１／２］、［Ｒ２ＳｉＯ２／２］、［ＲＳｉＯ３／２］、又は［ＳｉＯ４／２］［式中、Ｒは、例えば任意の有機基であってよい。］シロキシ単位から独立して選択されるシロキシ単位を含む。これらのシロキシ単位は一般に、それぞれＭ、Ｄ、Ｔ、及びＱ単位と称される。これらのシロキシ単位を様々な方法で組み合わせて、環状、直鎖状、又は分枝状の構造を形成することができる。結果として得られるポリマー構造の化学的及び物理的性質は、オルガノポリシロキサン中のシロキシ単位の数及び種類に応じて変化する。例えば、「直鎖状」オルガノポリシロキサン又はポリマーは、いくつかの実施形態では、主としてＤ、すなわち、［Ｒ２ＳｉＯ２／２］シロキシ単位を含有し、その結果、このポリジオルガノシロキサン内のＤ単位の数により示される「重合度」、すなわち、「ｄｐ」に応じて、様々な粘度の流体であるポリジオルガノシロキサンをもたらす。「樹脂性」オルガノポリシロキサン又はシリコーン樹脂は、Ｔ及び／又はＱシロキシ単位から選択されるシロキシ単位に起因する３次元構造を含む。オルガノポリシロキサン内のＴ又はＱシロキシ単位の量が増えると、いくつかの実施形態では、硬度及び／又はガラス様特性が増大した樹脂をもたらす。
【００１４】
本明細書で使用するとき、「シリコーン樹脂−直鎖状コポリマー」は、「樹脂」シロキシ単位と組み合わせた「直鎖状」シロキシ単位を含有するオルガノポリシロキサンを指す。特に、シリコーン樹脂−直鎖状コポリマーは、一般式（１）：
（Ｒ１Ｒ２Ｒ３ＳｉＯ１／２）ｘ（Ｒ４ＳｉＯ３／２）ｙ      （１）
［式中、各Ｒ１、Ｒ２、Ｒ３、及びＲ４は、独立して選択された置換又は非置換ヒドロカルビル基であり、但し、１つの分子中でＲ１、Ｒ２、及びＲ３のうちの少なくとも２つは、アリール基であり、ｘ及びｙは、各々独立して、ｘ＋ｙ＝１となるように、＞０〜＜１である。］を有する樹脂性構造と、一般式（２）：
（Ｒ５Ｒ６ＳｉＯ２／２）      （２）
［式中、Ｒ５及びＲ６は、各々独立して選択された置換又は非置換ヒドロカルビル基である。］を有する直鎖状構造と、を含む。
【００１５】
各Ｒ１、Ｒ２、Ｒ３、Ｒ４、Ｒ５、及びＲ６は、独立して選択され、互いに同じであっても異なっていてもよい。Ｒ１、Ｒ２、Ｒ３、Ｒ４、Ｒ５、及びＲ６のいずれか１つに関連する任意の説明はまた、Ｒ１、Ｒ２、Ｒ３、Ｒ４、Ｒ５、及びＲ６のうちの他のものにも適用される。Ｒ１、Ｒ２、Ｒ３、Ｒ４、Ｒ５、及びＲ６の各々は、独立して、直鎖状、分枝鎖状、及び／又は環状であってもよい。環状ヒドロカルビル基は、アリール基、及び飽和又は非共役環状基を包含する。アリール基は、単環式又は多環式であってよい。直鎖状及び分岐状ヒドロカルビル基は独立して、飽和又は不飽和であってよい。例えば、直鎖状ヒドロカルビル基としては、アルキル基、アルケニル基、アルキニル基などが挙げられる。直鎖状及び環状ヒドロカルビル基の組み合わせの一例は、アラルキル基である。「置換された」とは、１個以上の水素原子が、水素以外の原子（例えば、ハロゲン原子、例えば塩素、フッ素、臭素など）で置換され得ること、又は、Ｒ１、Ｒ２、Ｒ３、Ｒ４、Ｒ５、及びＲ６の任意の１つ以上の鎖内の１個の炭素原子が、炭素以外の１個の原子で置換され得ること、即ち、Ｒ１、Ｒ２、Ｒ３、Ｒ４、Ｒ５、及びＲ６が、鎖内に１個以上のへテロ原子、例えば酸素、硫黄、窒素などを独立して含み得ること、を意味する。
【００１６】
典型的には、各Ｒ１、Ｒ２、Ｒ３、Ｒ４、Ｒ５、及びＲ６のヒドロカルビル基は独立して、アルキル又はアリール基を含む。アルキル基は典型的には、１〜３０個の炭素原子、代替的に１〜２４個の炭素原子、代替的に１〜２０個の炭素原子、代替的に１〜１２個の炭素原子、代替的に１〜１０個の炭素原子、代替的に１〜６個の炭素原子、代替的に１〜４個の炭素原子、代替的に１〜３個の炭素原子、代替的に１又は２個の炭素原子を有する、代替的にメチル基である。アリール基は、典型的には単環式であり、かつ５〜９個の炭素原子、代替的に６〜７個の炭素原子、代替的に５〜６個の炭素原子を有する。
【００１７】
Ｒ１、Ｒ２、Ｒ３、及びＲ４は、シリコーン樹脂−直鎖状コポリマーの樹脂性構造中にある。Ｒ４は、樹脂性構造のＴシロキシ単位中に存在する。Ｒ１、Ｒ２、及びＲ３は、樹脂性構造のＭシロキシ単位中に存在する。下付き文字ｘ及びｙの選択に応じて、典型的には、シリコーン樹脂−直鎖状コポリマーの樹脂性構造中の組み合わせたＲ１−Ｒ３基よりも多くのＲ４基が存在する。
【００１８】
ある実施形態では、Ｒ１、Ｒ２、Ｒ３、及びＲ４の全ての少なくとも２０％、代替的に少なくとも３０％、代替的に少なくとも４０％、代替的に少なくとも５０％、代替的に少なくとも６０％、代替的に少なくとも６５％、代替的に少なくとも７０％、代替的に少なくとも７５％、代替的に少なくとも８０％、代替的に少なくとも８５％、代替的に少なくとも９０％、代替的に少なくとも９５％は、アルキル基である。特定の一実施形態では、Ｒ１、Ｒ２、Ｒ３、及びＲ４の全ては、アルキル基である。上記で紹介したように、これらのアルキル基は、典型的にはメチルである。これら又は他の実施形態では、Ｒ１、Ｒ２、Ｒ３、及びＲ４の全ての８０％以下、代替的に７０％以下、代替的に６０％以下、代替的に５０％以下、代替的に４０％以下、代替的に３５％以下、代替的に３０％以下、代替的に２５％以下、代替的に２０％以下、代替的に１５％以下、代替的に１０％以下、代替的に５％以下は、アリール基である。
【００１９】
特定の実施形態において、各Ｒ４は、アルキル基、典型的にはメチル基である。これらの又は他の実施形態では、Ｒ１〜Ｒ３のうちの少なくとも１つ、代替的に少なくとも２つ、代替的に３つ全ては、アリール基、典型的にはフェニルである。１つの特定の実施形態では、各Ｒ４は、メチルであり、Ｒ１〜Ｒ３のうちの少なくとも２つは、アリール基である。この特定の実施形態では、Ｒ１〜Ｒ３の他のものは、アルキル又はアリールであってもよい。
【００２０】
下付き文字ｘ及びｙは、樹脂性構造のＴシロキシ単位及びＭシロキシ単位と関連するモル分率である。下付き文字ｘ及びｙは、ｘ＋ｙ＝１となるように、各々独立して＞０〜＜１である。典型的には、ｙがｘよりも大きい場合、樹脂性構造中には、Ｍシロキシ単位よりも多くの数のＴシロキシ単位が存在する。様々な実施形態において、ｙは、０．４０超、代替的に０．５０超、代替的に０．５５超、代替的に０．６０超、代替的に０．６５超、代替的に０．７０超、代替的に０．７５超、代替的に０．８０超、代替的に０．８５超、代替的に０．９０超、代替的に０．９５超である。これらの又は他の実施形態では、ｘは０．６０未満、代替的に０．４０未満、代替的に０．４５未満、代替的に０．４０未満、代替的に０．３５未満、代替的に０．３０未満、代替的に０．２５未満、代替的に０．２０未満、代替的に０．１５未満、代替的に０．１０未満、代替的に０．０５未満である。特定の一実施形態では、下付き文字ｘは、０超〜０．３５であり、下付き文字ｘは、０．６５〜１未満である。
【００２１】
樹脂性構造及び直鎖状構造は、シロキサン結合を介して、シリコーン樹脂−直鎖状コポリマー中で一緒に結合される。
【００２２】
いくつかの実施形態では、シリコーン樹脂−直鎖状コポリマーは、「ランダム」コポリマーとは対照的に、「ブロック」コポリマーである。ブロックコポリマーは、いくつかの実施形態では、平均で１０〜４００Ｄ単位（例えば、平均で１０〜３５０Ｄ単位；１０〜３００Ｄ単位、１０〜２００Ｄ単位、１０〜１００Ｄ単位、５０〜４００Ｄ単位、１００〜４００Ｄ単位、１５０〜４００Ｄ単位、２００〜４００Ｄ単位、３００〜４００Ｄ単位、５０〜３００Ｄ単位、１００〜３００Ｄ単位、１５０〜３００Ｄ単位、２００〜３００Ｄ単位、１００〜１５０Ｄ単位、１１５〜１２５Ｄ単位、９０〜１７０Ｄ単位又は１１０〜１４０Ｄ単位））を有する、本明細書において「直鎖状ブロック」と称される少なくとも１つのポリマー鎖を形成するために、直鎖状構造が主に一緒に結合される実施形態を指す。Ｄ単位の数は、重合度、又はＤＰと称される場合がある。ＤＰは、本明細書で使用するとき、直鎖状構造のみを指し、樹脂性構造を指さない。シリコーン樹脂−直鎖状コポリマーが２つ以上の直鎖状構造を含む場合、各直鎖状構造のＤＰは独立して選択される。
【００２３】
樹脂性構造は、一般に、Ｔシロキシ単位をキャップし得るＭ単位（すなわち、［（Ｒ１Ｒ２Ｒ３ＳｉＯ１／２）］）と共に３次元ネットワークを形成するために主に互いに結合されるＴ単位（すなわち、［（Ｒ４ＳｉＯ３／２）］）を含む。シリコーン樹脂−直鎖状コポリマーは、２つ以上の樹脂性構造を含んでもよく、これらは複数として存在する場合、典型的には、直鎖状構造を介して一緒に結合される。
【００２４】
いくつかの実施形態において、樹脂性構造は、数平均分子量が少なくとも５００ｇ／モル、例えば、少なくとも１０００ｇ／モル、少なくとも２０００ｇ／モル、少なくとも３０００ｇ／モル、若しくは少なくとも４０００ｇ／モルであるか、又は分子量が５００ｇ／モル〜４０００ｇ／モル、５００ｇ／モル〜３０００ｇ／モル、５００ｇ／モル〜２０００ｇ／モル、５００ｇ／モル〜１０００ｇ／モル、１０００ｇ／モル〜２０００ｇ／モル、１０００ｇ／モル〜１５００ｇ／モル、１０００ｇ／モル〜１２００ｇ／モル、１０００ｇ／モル〜３０００ｇ／モル、１０００ｇ／モル〜２５００ｇ／モル、１０００ｇ／モル〜４０００ｇ／モル、２０００ｇ／モル〜３０００ｇ／モル、若しくは２０００ｇ／モル〜４０００ｇ／モルである。シリコーン樹脂−直鎖状コポリマーが２つ以上の樹脂性構造を含む場合、各樹脂性構造の数平均分子量は独立して選択される。
【００２５】
特定の実施形態では、シリコーン樹脂−直鎖状コポリマーは、樹脂性構造及び直鎖状構造から本質的になり、代替的にこれらからなる。
【００２６】
上記に述べたように、樹脂性構造及び直鎖状構造は、シロキサン結合を介して一緒に結合される。これは、ヒドロシリル化による調製とは区別され、この場合、二価有機アルキレン基が、樹脂性構造と直鎖状構造との間に存在し得る。特定の実施形態では、シロキサン結合は、アセトキシシリル基から誘導される。代替的に、シロキサン結合は、任意のケイ素結合加水分解性基の加水分解／縮合から誘導され得る。ケイ素に結合した際の加水分解性基の例としては、Ｈ、ハロゲン化物基、アルコキシ基、アルキルアミノ基、カルボキシ基、アルキルイミノキシ基、アルケニルオキシ、及びＮ−アルキルアミド基が挙げられる。
【００２７】
他の実施形態では、樹脂性構造と直鎖状構造との間のシロキサン結合は、脱水素、特にルイス酸触媒を介した脱水素から誘導される。シリコーン樹脂−直鎖状ポリマーの調製方法に関して、更なる詳細が以下に提供される。
【００２８】
特定の実施形態では、シリコーン樹脂−直鎖状コポリマーは、少なくとも２０，０００ｇ／モルの重量平均分子量（Ｍｗ）、代替的に少なくとも４０，０００ｇ／モルの重量平均分子量、代替的に少なくとも５０，０００ｇ／モルの重量平均分子量、代替的に少なくとも６０，０００ｇ／モルの重量平均分子量、代替的に少なくとも７０，０００ｇ／モルの重量平均分子量、又は代替的に少なくとも８０，０００ｇ／モルの重量平均分子量を有する。一部の実施形態では、シリコーン樹脂−直鎖状コポリマーは、約２０，０００ｇ／モル〜約２５０，０００ｇ／モル、又は約７５，０００ｇ／モル〜約１２０，０００ｇ／モルの重量平均分子量（Ｍｗ）、代替的に約４０，０００ｇ／モル〜約１００，０００ｇ／モルの重量平均分子量、代替的に約５０，０００ｇ／モル〜約１００，０００ｇ／モルの重量平均分子量、代替的に約５０，０００ｇ／モル〜約８０，０００ｇ／モルの重量平均分子量、代替的に約５０，０００ｇ／モル〜約７０，０００ｇ／モルの重量平均分子量、代替的に約５０，０００ｇ／モル〜約６０，０００ｇ／モルの重量平均分子量を有する。いくつかの実施形態では、シリコーン樹脂−直鎖状コポリマーは、約８０，０００〜約１２０，０００ｇ／モル；又は約９０，０００〜約１１０，０００ｇ／モルｇ／モルの数平均分子量（Ｍｎ）を有する。平均分子量は、ポリスチレン標準に基づくゲル透過クロマトグラフィ（ＧＰＣ）技術を使用して容易に判定することができる。
【００２９】
特定の実施形態では、シリコーン樹脂−直鎖状コポリマーは、残留シラノール基（−ＳｉＯＨ）を含有する。シリコーン樹脂−直鎖状コポリマー中に存在するシラノール基の量は、０．５〜３５モルパーセントのシラノール基（−ＳｉＯＨ）、代替的に２〜３２モルパーセントのシラノール基（−ＳｉＯＨ）、代替的に８〜２２モルパーセントのシラノール基（−ＳｉＯＨ）で変化し得る。
【００３０】
シラノール基は、シリコーン樹脂−直鎖状コポリマー内の任意のシロキシ単位上に存在し得るが、そのようなシラノール基は、典型的には樹脂性構造中に存在する。例えば、典型的には、シラノール基の大部分（例えば、７５％超、８０％超、９０％超）は、樹脂性構造上に存在する。このようなシラノール基の存在は、所望により、更なる縮合又は他の反応を可能にする。しかしながら、このようなシラノール基の存在は、一般に、シリコーン樹脂−直鎖状コポリマーの貯蔵寿命に悪影響を及ぼさない。
【００３１】
直鎖状構造は、いくつかの実施形態では、２５℃未満、代替的に０℃未満、代替的に−２５℃未満、代替的に−５０℃未満、代替的に−７５℃未満、代替的に−１００℃未満のガラス転移温度（Ｔｇ）を有する。例えば、特定の実施形態では、直鎖状構造のＴｇは、−１００〜−１５０℃である。
【００３２】
典型的には、樹脂性構造は、直鎖状構造よりも高いＴｇを有する。特定の実施形態では、樹脂性構造は、０℃超、代替的に１０℃超、代替的に２０℃超、代替的に３０℃超、代替的に４０℃超のＴｇを有する。例えば、特定の実施形態では、樹脂性構造のＴｇは、２５〜７５℃である。
【００３３】
シリコーン樹脂−直鎖状コポリマーは、多数の形態を有し得る。例えば、後述するように、シリコーン樹脂−直鎖状コポリマーは、シリコーン樹脂−直鎖状コポリマーが組成物中に存在するように、キャリア流体又は溶媒中に配合され得る。代替的に、シリコーン樹脂−直鎖状コポリマーは、固体であってもよい。シリコーン樹脂−直鎖状コポリマーの固体形態は、反応性であってもよく、それ自体が（隣接する分子若しくは自己縮合を介して）又は他の構成成分とのいずれかで、更なる硬化を受けることができる。
【００３４】
シリコーン樹脂−直鎖状オルガノシロキサンコポリマーの固体形態は、シリコーン樹脂−直鎖状コポリマーを含む組成物からいくつかの又は実質的に全てのキャリア流体又は溶媒を除去することによって調製され得る。キャリア流体又は溶媒は、任意の既知の加工技術によって除去することができる。一実施形態では、シリコーン樹脂−直鎖状コポリマーを含有する組成物のフィルムが形成され、そのフィルムからキャリア流体又は溶媒を蒸発させることができる。フィルムを高温及び／又は減圧にかけることは、キャリア流体又は溶媒の除去、及びその後の固体形態の形成を加速し得る。代替的に、組成物を押出成形機に通してキャリア流体又は溶媒を除去し、リボン又はペレットの形態のシリコーン樹脂−直鎖状コポリマーを得ることができる。剥離フィルムに対するコーティング作業は、ｉ）スピンコーティング：ｉｉ）ブラシコーティング；ｉｉｉ）ドロップコーティング；ｉｖ）スプレーコーティング；ｖ）ディップコーティング；ｖｉ）ロールコーティング；ｖｉｉ）フローコーティング；ｖｉｉｉ）スロットコーティング；ｉｘ）グラビアコーティング；又はｘ）ｉ）〜ｉｘ）のいずれかの組み合わせ中などで使用することもできる。
【００３５】
シリコーン樹脂−直鎖状コポリマーは、多くの多様な最終用途を有する。例えば、本発明は、シリコーン樹脂−直鎖状コポリマーを含むフィルム形成剤も提供する。フィルム形成剤は、シリコーン樹脂−直鎖状コポリマーに加えて、従来のフィルム形成剤、例えば担体などの任意の成分を含む、成分を含んでもよい。フィルム形成剤としてシリコーン樹脂−直鎖状コポリマーとＭＱ樹脂とを共に含む組成物の具体的な例を、化粧品組成物として以下に開示する。しかしながら、シリコーン樹脂−直鎖状コポリマーとＭＱ樹脂とを含む組成物は、化粧品を超える他の用途で利用されてもよい。ＭＱ樹脂とシリコーン樹脂−直鎖状コポリマーとのブレンドは、シリコーン樹脂−直鎖状コポリマーの直鎖状構造の結晶化を最小化又は防止し、それによって、その熱サイクルを改善すると考えられる。特に、直鎖状構造及び樹脂性構造の両方のＴｇは、一般に、シリコーン樹脂−直鎖状コポリマーとＭＱ樹脂とのブレンドにおいて増加する。ＭＱ樹脂並びにシリコーン樹脂−直鎖状コポリマーの選択により、組成物及びその任意の生成物の特性の選択的修飾が可能になる。
【００３６】
ＭＱ樹脂は、通常、酸触媒による水性ケイ酸ナトリウムの加水分解及び縮合、続いてトリメチルクロロシランによる処理、又はトリメチルクロロシラン及びテトラエトキシシランの共加水分解及び縮合を含むゾル−ゲル化学によって調製される。Ｍシロキシ単位は、典型的にはケイ素結合ヒドロカルビルであり、最も典型的にはケイ素結合アルキル、例えばメチルである、任意のケイ素結合置換基を含み得る。
【００３７】
本発明はまた、シリコーン樹脂−直鎖状コポリマーを含む接着促進剤も提供する。接着促進剤は、シリコーン樹脂−直鎖状コポリマーに加えて、従来の接着促進剤、例えば担体などの任意の成分を含む、成分を含んでもよい。
【００３８】
更に、本発明は、シリコーン樹脂−直鎖状コポリマーを含む封止材を提供する。封止材は、シリコーン樹脂−直鎖状コポリマーと反応性を有する成分を更に含んでもよく、又はシリコーン樹脂−直鎖状コポリマー自体は、塗布時に封止材として機能し得る。封入材は、シリコーン樹脂−直鎖状コポリマーに加えて、従来の封止材、例えば担体などの任意の成分を含む、成分を含んでもよい。封入材は、例えば、電子部品、デバイス、光起電力電池などのためのものであってもよい。
【００３９】
本発明は、組成物も提供する。組成物は、（Ａ）シリコーン樹脂−直鎖状コポリマーと、（Ｂ）キャリア流体と、を含む。好適なキャリア流体としては、直鎖状及び環状の両方のシリコーン、有機油、有機溶媒、及びこれらの混合物が挙げられる。キャリア流体は、（Ａ）シリコーン樹脂−直鎖状コポリマーを担持し、代替的に部分的にこれを可溶化し、代替的にこれを可溶化してもよい。
【００４０】
特定の実施形態では、（Ｂ）キャリア流体は、２５℃で（Ｂ１）揮発性流体を含む。好適な揮発性流体の具体例としては、２５℃にて、１〜１，０００ｍｍ２／秒の範囲の粘度を有する低粘度シリコーン、又は揮発性メチルシロキサン、又は揮発性エチルシロキサン、又は揮発性メチルエチルシロキサンが挙げられる。その具体例としては、ヘキサメチルシクロトリシロキサン、オクタメチルシクロテトラシロキサン、デカメチルシクロペンタシロキサン、ドデカメチルシクロヘキサシロキサン、オクタメチルトリシロキサン、デカメチルテトラシロキサン、ドデカメチルペンタシロキサン、テトラデカメチルヘキサシロキサン、ヘキサデカメチルヘプタシロキサン、ヘプタメチル−３−｛（トリメチルシリ）オキシ）｝トリシロキサン、ヘキサメチル−３，３，ビス｛（トリメチルシリル）オキシ｝トリシロキサン、ペンタメチル｛（トリメチルシリル）オキシ｝シクロトリシロキサン、並びにポリジメチルシロキサン、ポリエチルシロキサン、ポリメチルエチルシロキサン、ポリメチルフェニルシロキサン、ポリジフェニルシロキサンなどが挙げられる。
【００４１】
代替的に、（Ｂ）キャリア流体は、芳香族炭化水素、脂肪族炭化水素、アルコール、アルデヒド、ケトン、アミン、エステル、エーテル、グリコール、グリコールエーテル、ハロゲン化アルキル、及び芳香族ハロゲン化物によって例示されるが、これらに限定されない、有機賦形剤を含み得る。炭化水素としては、イソドデカン、イソヘキサデカン、Ｉｓｏｐａｒ  Ｌ（Ｃ１１−Ｃ１３）、Ｉｓｏｐａｒ  Ｈ（Ｃ１１−Ｃ１２）、水素添加（ｈｙｄｒｏｇｅｎｔａｔｅｄ）ポリデセンが挙げられる。エーテル及びエステルとしては、イソデシルネオペンタノエート、ネオペンチルグリコールヘプタノエート、グリコールジステアレート、ジカプリリルカーボネート、ジエチルヘキシルカーボネート、プロピレングリコールｎブチルエーテル、エチル−３−エトキシプロピオネート、プロピレングリコールメチルエーテルアセテート、トリデシルネオペンタノエート、プロピレングリコールメチルエーテルアセテート（ＰＧＭＥＡ）、プロピレングリコールメチルエーテル（ＰＧＭＥ）、オクチルドデシルネオペンタノエート、ジイソブチルアジペート、ジイソプロピルアジペート、プロピレングリコールジカプリレート／ジカプレート、及びオクチルパルミテートが挙げられる。独立した化合物として、又はキャリア流体への成分として好適な追加の有機キャリア流体としては、脂肪、油、脂肪酸、及び脂肪族アルコールが挙げられる。
【００４２】
（Ａ）シリコーン樹脂−直鎖状コポリマー及び（Ｂ）キャリア流体の相対量は、組成物の所望の最終用途に基づいて変化し得る。様々な実施形態において、組成物は、（Ｂ）キャリア流体を、組成物の総重量に基づいて、０〜９８重量％、代替的に０．５〜９０重量％、代替的に５〜８０重量％の量で含む。
【００４３】
ある実施形態において、組成物は、硬化性組成物である。これらの実施形態では、シリコーン樹脂−直鎖状コポリマーは、自己縮合して硬化してもよく、又はシリコーン樹脂−直鎖状コポリマーは、硬化性組成物中の別の成分、例えば別のオルガノポリシロキサンと反応してもよい。組成物が硬化性組成物である場合、硬化性組成物は、硬化触媒を更に含んでもよい。硬化触媒は、典型的には縮合触媒である。好適な縮合触媒の例としては、カルボン酸、例えば蟻酸、酢酸、プロピオン酸、酪酸、及び／又は吉草酸などの酸；塩基；ジブチルスズジオクトエート、鉄ステアレート、及び／又は鉛オクトエートなどの有機酸の金属塩；テトライソプロピルチタネート及び／又はテトラブチルチタネートなどのチタン酸エステル；アセチルアセトナトチタンなどのキレート化合物；例えば、好適なヒドロシリル化反応用触媒として上記で説明したもののいずれかを含む、白金含有触媒などの遷移金属触媒；アミノプロピルトリエトキシシランなどが挙げられる。使用される場合、縮合触媒は、典型的には触媒量で利用される。
【００４４】
組成物は、多くの最終用途を有する。例えば、本発明は、電子デバイス上にコンフォーマルコーティングを調製する方法（「コンフォーマルコーティング方法」）を提供する。コンフォーマルコーティング方法は、組成物を電子デバイス上に塗布することを含む。コンフォーマルコーティング方法は、電子デバイス上にコンフォーマルコーティングを形成することを更に含む。
【００４５】
電子デバイスは限定されず、「マイクロ電子デバイス」及び／又は「電子回路」とも称される場合がある。これらの代表的な例としては、シリコン系デバイス、ヒ化ガリウムデバイス、フォーカルプレーンアレイ、光学電子デバイス、光起電力セル、光デバイス、誘電体層、トランジスタのようなデバイスを作製するためのドープ誘電体層、キャパシタ及びキャパシタのようなデバイスを作製するための、シリコン含有色素充填バインダ系、多層デバイス、３Ｄデバイス、シリコンオンインシュレータ（ＳＯＩ）デバイス、超格子デバイスなどが挙げられる。
【００４６】
組成物を塗布することは、任意の好適な塗布技術を含んでもよい。典型的には、組成物は、ウェットコーティング技術により、湿潤形態で塗布される。特定の実施形態において、組成物は、ｉ）スピンコーティング；ｉｉ）ブラシコーティング；ｉｉｉ）ドロップコーティング；ｉｖ）スプレーコーティング；ｖ）ディップコーティング；ｖｉ）ロールコーティング；ｖｉｉ）フローコーティング；ｖｉｉｉ）スロットコーティング；ｉｘ）グラビアコーティング；又はｘ）ｉ）〜ｉｘ）のいずれかの組み合わせにより塗布される。組成物を塗布した後、塗布された組成物は、焼成、乾燥、又は焼鈍されてもよい。塗布された組成物を硬化させて、コンフォーマルコーティングを得るか、又は単に乾燥させて、コンフォーマルコーティングを得ることができる。
【００４７】
コンフォーマルコーティンは、最終用途に応じて変化し得る厚さを有する。典型的には、フィルムは、０超〜１００マイクロメートル（μｍ）、代替的に１０〜９０、代替的に２５〜７５マイクロメートル（μｍ）の厚さを有する。しかしながら、他の厚さ、例えば、０．１〜２００μｍも想到される。例えば、フィルムの厚さは、０．２〜１７５μｍ；代替的に０．５〜１５０μｍ；代替的に０．７５〜１００μｍ；代替的に１〜７５μｍ；代替的に２〜６０μｍ；代替的に３〜５０μｍ；代替的に４〜４０μｍ；代替的に、１、２、３、４、５、６、７、８、９、１０、１５、２０、２５、３０、３５、４０、４５、５０、６０、７０、７５、８０、９０、１００、１５０、１７５、及び２００μｍのいずれか１つであってよい。
【００４８】
本発明は更に、シリコーン樹脂−直鎖状コポリマーから形成されたフィルムを含む電子デバイスを提供する。フィルムは、コンフォーマルコーティングであってもよい。しかしながら、フィルムは、コンフォーマルコーティング以外のものであってもよく、電子デバイスの中間層又は他の部分であってもよい。フィルムは、コーティングに対して上で開示された技術のいずれかに従って形成されてもよい。フィルムは、乾燥、焼成、硬化、焼鈍、又は他の方法で処理されてもよい。例えば、フィルムは、シリコーン樹脂−直鎖状コポリマーの反応生成物を含んでもよく、又はフィルムはシリコーン樹脂−直鎖状コポリマー自体を含んでもよい。
【００４９】
他の実施形態では、組成物は、化粧品組成物等のパーソナルケア組成物であってもよい。これらの実施形態では、組成物は、（Ｃ）パーソナルケア成分を更に含む。明確さ及び一貫性のため、「（Ｃ）パーソナルケア成分」は、組成物が１つ又は２つ以上のパーソナルケア成分を含む、実施形態を包含する。
【００５０】
ある実施形態において、（Ｃ）パーソナルケア成分は、スキンケア成分を含む。これらの実施形態では、組成物は、スキンケア組成物とも称され得る。組成物の調製に使用する場合、スキンケア成分は、典型的には、水相安定化剤、化粧品用殺生物剤、コンディショニング剤（シリコーン、カチオン性コンディショニング剤、疎水性コンディショニング剤等であり得る）、皮膚軟化剤、保湿剤、着色剤、染料、紫外線（ＵＶ）吸収剤、日焼け止め剤、制汗剤、酸化防止剤、香料、抗菌剤、抗生物質、抗真菌剤、抗老化有効成分（ａｎｔｉａｇｉｎｇ  ａｃｔｉｖｅｓ）、抗にきび剤、美白剤、顔料、防腐剤、ｐＨ調整剤、電解質、キレート剤、植物抽出物、ボタニカル（ｂｏｔａｎｉｃａｌ）抽出物、皮脂吸収剤、皮脂コントロール剤、ビタミン、ワックス、界面活性剤、洗浄剤、乳化剤、増粘剤、プロペラントガス（ｐｒｏｐｅｌｌａｎｔ  ｇａｓｅｓ）、皮膚保護剤、フィルム形成ポリマー、光散乱剤、及びこれらの組み合わせから選択される。これらのスキンケア実施形態のいくつかについて、組成物は、日焼け止め、シャワージェル、石鹸、ヒドロゲル、クリーム、ローション、バーム、ファンデーション、口紅、アイライナー、キューティクルコート、又は頬紅と称され得る。様々な種類のかかるスキンケア成分が、当業者には既知である。
【００５１】
皮膚軟化剤の例としては、揮発性又は不揮発性シリコーン油；ポリプロピルシルセスキオキサン及びフェニルトリメチコン等のシリコーン樹脂；ジメチコンクロスポリマー等のシリコーンエラストマー；Ｃ３０−４５アルキルメチコンなどのアルキルメチルシロキサン、スクアレン、パラフィン油、ペトロラタム油、及びナフタレン油等の揮発性又は不揮発性の炭化水素化合物；水素添加された又は部分的に水素添加されたポリイソブテン；イソエイコサン；スクアラン；イソパラフィン；イソドデカン；イソデカン又はイソヘキサデカン；分枝状Ｃ８−Ｃ１６エステル、イソヘキシルネオペンタノエート；イソノニルイソノナノエート、セトステアリルオクタノエート、イソプロピルミリステート、パルミチン酸誘導体、ステアリン酸誘導体、イソステアリルイソステアレート等のエステル油、及びアルコール若しくはポリアルコールのヘプタノエート、オクタノエート、デカノエート、若しくはリシノレート、又はこれらの混合物、小麦胚芽、ヒマワリ、ブドウ種子、ヒマ、シア、アボカド、オリーブ、ダイズ、スイートアーモンド、ヤシ、菜種、綿実、ヘーゼルナッツ、マカダミア、ホホバ、クロフサスグリ、オオマツヨイグサ等の植物由来の炭化水素油；又はカプリル酸／カプリン酸のトリグリセリド；オレイン酸、リノール酸、又はリノレン酸等の高級脂肪酸、及びこれらの混合物；が挙げられる。
【００５２】
ワックスの例としては、蜜蝋、ラノリンワックス、ライスワックス、カルナバワックス、キャンデリラワックス、マイクロクリスタリンワックス、パラフィン、オゾケライト、ポリエチレンワックス、合成ワックス、セレシン、ラノリン、ラノリン誘導体、カカオバター、セラックワックス、ぬかワックス、カポックワックス、サトウキビワックス、モンタンワックス、クジラワックス、ヤマモモワックス、シリコーンワックス（例えばポリメチルシロキサンアルキル、アルコキシ、及び／又はエステル、Ｃ３０−４５アルキルジメチルシリルポリプロピルシルセスキオキサン）等の炭化水素ワックス、並びにこれらの混合物が挙げられる。
【００５３】
保湿剤の例としては、プロピレングリコール及びブチレングリコール等の低分子量脂肪族ジオール、グリセリン及びソルビトール等のポリオール、並びにポリエチレングリコール２００等のポリオキシエチレンポリマー、ヒアルロン酸及びその誘導体、並びにこれらの混合物が挙げられる。
【００５４】
表面活性材料の例は、アニオン性、カチオン性又はノニオン性表面活性材料であってよく、ジメチコンコポリオール等の有機変性シリコーン；グリセロールのオキシエチレン化及び／又はオキシプロピレン化エーテル；セテアレス−３０、Ｃ１２−１５パレス−７などの、脂肪族アルコールのオキシエチレン化及び／又はオキシプロピレン化エーテル、ＰＥＧ−５０ステアレート、ＰＥＧ−４０モノステアレート等のポリエチレングリコールの脂肪酸エステル；スクロースステアレート、スクロースココエート及びソルビタンステアレート等の糖エステル及びエーテル、並びにこれらの混合物；ＤＥＡオレス−１０ホスフェート等のリン酸エステル及びその塩；二ナトリウムＰＥＧ−５シトレートラウリルスルホスクシネート及び二ナトリウムリシノールアミドＭＥＡスルホスクシネート等のスルホスクシネート；ナトリウムラウリルエーテルサルフェート等のアルキルエーテルサルフェート；イセチオネート；ベタイン誘導体、及びこれらの混合物があり得る。
【００５５】
非イオン性界面活性剤の更なる例としては、ポリオキシエチレンアルキルエーテル、ポリオキシエチレンアルキルフェノールエーテル、ポリオキシエチレンラウリルエーテル、ポリオキシエチレンソルビタンモノオレエート、ポリオキシエチレンアルキルエステル、ポリオキシエチレンソルビタンアルキルエステル、ポリエチレングリコール、ポリプロピレングリコール、ジエチレングリコール、エトキシル化トリメチルノナノール、ポリオキシアルキレン置換シリコーン（レーキ（ｒａｋｅ）又はＡＢｎ型）、シリコーンアルカノールアミド、シリコーンエステル、シリコーングリコシド、及びこれらの混合物が挙げられる。
【００５６】
非イオン性界面活性剤としては、ジメチコンコポリオール、ポリオールの脂肪酸エステル、例えば、ソルビトール又はグリセリルモノ−、ジ−、トリ−、又はセスキ−オレエート又はステアレート、グリセリル又はポリエチレングリコールラウレート、ポリエチレングリコールの脂肪酸エステル（ポリエチレングリコールモノステアレート又はモノラウレート）、ソルビトールのポリオキシエチレン化脂肪酸エステル（ステアレート又はオレエート）、ポリオキシエチレン化アルキル（ラウリル、セチル、ステアリル、又はオクチル）エーテルが挙げられる。
【００５７】
アニオン性界面活性剤としては、カルボキシレート（２−（２−ヒドロキシアルキルオキシ）酢酸ナトリウム）、アミノ酸誘導体（Ｎ−アシルグルタメート、Ｎ−アシルグリシネート、又はアシルサルコシネート）、アルキルサルフェート、アルキルエーテルサルフェート、及びこれらのオキシエチレン化誘導体、スルホネート、イセチオネート及びＮ−アシルイセチオネート、タウレート及びＮ−アシルＮ−メチルタウレート、スルホスクシネート、アルキルスルホアセテート、ホスフェート及びアルキルホスフェート、ポリペプチド、アルキルポリグリコシドのアニオン性誘導体（アシル−Ｄ−ガラクトシドウロネート）、及び脂肪酸石鹸、並びにこれらの混合物が挙げられる。
【００５８】
両性及び双性イオン性界面活性剤としては、ベタイン、Ｎ−アルキルアミドベタイン及びこれらの誘導体、タンパク質及びその誘導体、グリシン誘導体、スルタイン、アルキルポリアミノカルボキシレート及びアルキルアンホアセテート、並びにこれらの混合物が挙げられる。
【００５９】
増粘剤の例としては、アクリルアミドコポリマー、アクリレートコポリマー及びその塩（例えば、ポリアクリル酸ナトリウム等）、キサンタンガム及び誘導体、セルロースガム及びセルロース誘導体（例えば、メチルセルロース、メチルヒドロキシプロピルセルロース、ヒドロキシプロピルセルロース、ポリプロピルヒドロキシエチルセルロース等）、デンプン及びデンプン誘導体（例えば、ヒドロキシエチルアミロース及びデンプンアミラーゼ等）、ポリオキシエチレン、カルボマー、アルギン酸ナトリウム、アラビアガム、カシアガム、グアーガム及びグアーガム誘導体、コカミド誘導体、アルキルアルコール、ゼラチン、ＰＥＧ−誘導体、糖類（例えば、フラクトース、グルコース等）及び糖類誘導体（例えば、ＰＥＧ−１２０メチルグルコースジオレート等）、並びにこれらの混合物が挙げられる。
【００６０】
水相安定化剤の例としては、電解質（例えば、アルカリ金属塩及びアルカリ土類塩、特に、ナトリウム、カリウム、カルシウム、及びマグネシウムの、クロライド、ホウ酸塩、クエン酸塩及び硫酸塩、並びにアルミニウムクロロハイドレート、及び高分子電解質、特に、ヒアルロン酸及びヒアルロン酸ナトリウム）、ポリオール（グリセリン、プロピレングリコール、ブチレングリコール、及びソルビトール）、アルコール（エチルアルコール等）、及びハイドロコロイド、並びにこれらの混合物が挙げられる。
【００６１】
ｐＨ調整剤の例としては、任意の水溶性酸（カルボン酸等）、又は鉱酸（塩酸、硫酸及びリン酸等）、モノカルボン酸（酢酸及び乳酸等）、及びポリカルボン酸（コハク酸、アジピン酸、及びクエン酸等）、並びにこれらの混合物が挙げられる。
【００６２】
防腐剤及び化粧品殺生物剤の例としては、パラベン誘導体、ヒダントイン誘導体、クロルヘキシジン及びその誘導体、イミダゾリジニル尿素、フェノキシエタノール、銀誘導体、サリチレート誘導体、トリクロサン、シクロピロックスオラミン、ヘキサミジン、オキシキノリン及びその誘導体、ＰＶＰ−ヨード、亜鉛塩及び誘導体（例えば、亜鉛ピリチオン等）、並びにこれらの混合物が挙げられる。
【００６３】
皮脂吸収剤又は皮脂調整剤の例としては、シリカシリレート、シリカジメチルシリレート、ジメチコン／ビニルジメチコンクロスポリマー、ポリメチルメタクリレート、架橋メチルメタクリレート、オクテニルコハク酸デンプンアルミニウム、及びこれらの混合物が挙げられる。
【００６４】
顔料及び着色剤の例としては、表面処理又は未処理酸化鉄、表面処理又は未処理二酸化チタン、表面処理又は未処理雲母、酸化銀、シリケート、酸化クロム、カロチノイド、カーボンブラック、ウルトラマリン、クロロフィリン誘導体、及び黄土が挙げられる。有機顔料の例としては、Ｄ＆Ｃ及びＦＤ＆Ｃ青色、褐色、緑色、橙色、赤色、黄色等として指定される、アゾ、インジゴイド、トリフェニルメタン、アントラキノン、及びキサンチン染料を含む芳香族型、並びにこれらの混合物が挙げられる。表面処理剤としては、レシチン、シリコーン、シラン、フルオロ化合物、及びこれらの混合物に基づく処理剤が挙げられる。
【００６５】
シリコーンコンディショニング剤の例としては、ジメチコン等のシリコーン油、ジメチコノール等のシリコーンガム、トリメチルシロキシシリケート、ポリプロピルシルセスキオキサン等のシリコーン樹脂、シリコーンエラストマー、アルキルメチルシロキサン、アモジメチコン、アミノプロピルフェニルトリメチコン、フェニルトリメチコン、トリメチルペンタフェニルトリシロキサン、シリコーンクオタニウム−１６／グリシドキシジメチコンクロスポリマー、シリコーンクオタニウム−１６等の有機変性シリコーン油、糖類官能性シロキサン、カルビノール官能性シロキサン、シリコーンポリエーテル、シロキサンコポリマー（ジビニルジメチコン／ジメチコンコポリマー）、アクリレート又はアクリル官能性シロキサン、及びこれらの混合物又はエマルジョンが挙げられる。
【００６６】
カチオン性コンディショニング剤の例としては、グアーガムのヒドロキシプロピルトリメチルアンモニウム誘導体等のグアー誘導体、カチオン性セルロース誘導体、カチオン性デンプン誘導体、セルロースエーテルの第四級窒素誘導体、ジメチルジアリルアンモニウムクロライドのホモポリマー、アクリルアミド及びジメチルジアリルアンモニウムクロライドのコポリマー、エステル又はアミド結合によってポリマーに結合するカチオン性窒素官能基を含むアクリル酸又はメタクリル酸に由来するホモポリマー又はコポリマー、脂肪族アルキルジメチルアンモニウム置換エポキシドと反応したヒドロキシエチルセルロースのポリマー四級アンモニウム塩、Ｎ，Ｎ’−ビス−（２，３−エポキシプロピル）−ピペラジン又はピペラジン−ビス−アクリルアミド及びピペラジンの重縮合生成物、並びにビニルピロリドンと四級窒素官能基を有するアクリル酸エステルとのコポリマーが挙げられる。具体的な物質としては、様々なポリクアット（ｐｏｌｙｑｕａｔｓ）、例えば、ポリクオタニウム−７、ポリクオタニウム−８、ポリクオタニウム−１０、ポリクオタニウム−１１、及びポリクオタニウム−２３が挙げられる。他の分類のコンディショナーとしては、カチオン性界面活性剤（セチルトリメチルアンモニウムクロライド、セチルトリメチルアンモニウムブロマイド、及びステリアルトリメチルアンモニウムクロライド等）、及びこれらの混合物が挙げられる。場合によっては、カチオン性コンディショニング剤も、疎水変性されたもの（疎水変性第四級化ヒドロキシエチルセルロースポリマー、カチオン性疎水変性ガラクトマンナンエーテル、及びこれらの混合物等）である。
【００６７】
疎水性コンディショニング剤の例としては、グアー誘導体、ガラクトマンナンガム誘導体、セルロース誘導体、及びこれらの混合物が挙げられる。
【００６８】
ＵＶ吸収剤及び日焼け止め剤としては、２９０〜３２０ナノメートルの紫外線（ＵＶ−Ｂ領域）を吸収するもの、及び３２０〜４００ナノメートルの紫外線（ＵＶ−Ａ領域）を吸収するものが挙げられる。また、紫外線吸収剤及び日焼け止め剤は、赤外領域（７００ナノメートル〜１ミリメートル）の赤外光を吸収するものも含む。
【００６９】
日焼け止め剤のいくつかの例は、アミノ安息香酸、シノキセート、ジエタノールアミンメトキシシンナメート、ジガロイルトリオレエート、ジオキシベンゾン、エチル−４−［ビス（ヒドロキシプロピル）］アミノベンゾエート、グリセリルアミノベンゾエート、ホモサレート、ジヒドロキシアセトンを有するローソン、メンチルアントラニレート、オクトクリレン、エチルヘキシルメトキシシンナメート、オクチルサリチレート、オキシベンゾン、パラジメートＯ、フェニルベンズイミダゾールスルホン酸、赤色ワセリン、スリソベンゾン、二酸化チタン、トロラミンサリチレート、及びこれらの混合物である。
【００７０】
ＵＶ吸収剤のいくつかの例は、アセトアミノサロール、アラントイン（ａｌｌａｔｏｉｎ）ＰＡＢＡ、ベンザルフタリド、ベンゾフェノン、ベンゾフェノン１−１２，３−ベンジリデンカンファー、ベンジリデンカンファー加水分解コラーゲンスルホンアミド、ベンジリデンカンファースルホン酸、ベンジルサリチレート、ボルネロン（ｂｏｒｎｅｌｏｎｅ）、ブメトリオゾール（ｂｕｍｅｔｒｉｏｚｏｌｅ）、ブチルメトキシジベンゾイルメタン、ブチルＰＡＢＡ、セリア／シリカ、セリア／シリカタルク、シノキセート、ＤＥＡ−メトキシシンナメート、ジベンゾオキサゾールナフタレン、ジ−ｔ−ブチルヒドロキシベンジリデンカンファー、ジガロイルトリオレエート、ジイソプロピルメチルシンナメート、ジメチルＰＡＢＡエチルセテアリールジイモニウムトシレート、ジオクチルブタミドトリアゾン、ジフェニルカルボメトキシアセトキシナフトピラン、ビスエチルフェニルトリアミノトリアジン（ｔｉａｍｍｉｎｏｔｒｉａｚｉｎｅ）スチルベンジスルホン酸二ナトリウム、ジスチリルビフェニルトリアミノトリアジンスチルベンジスルホン酸二ナトリウム、ジスチリルビフェニルジスルホン酸二ナトリウム、ドロメトリゾール、ドロメトリゾールトリシロキサン、エチルジヒドロキシプロピルＰＡＢＡ、エチルジイソプロピルシンナメート、エチルメトキシシンナメート、エチルＰＡＢＡ、ウロカニン酸エチル、エトロクリレンフェルラ酸、グリセリルオクタノエートジメトキシシンナメート、グリセリルＰＡＢＡ、グリコールサリチレート、ホモサレート、イソアミルｐ−メトキシシンナメート、イソプロピルベンジルサリチレート、イソプロピルジベンゾリルメタン、イソプロピルメトキシシンナメート、オクチルメトキシシンナメート、メンチルアントラニレート、メンチルサリチレート、４−メチルベンジリデン、カンファー、オクトクリレン、オクトリゾール、オクチルジメチルＰＡＢＡ、エチルヘキシルメトキシシンナメート、オクチルサリチレート、オクチルトリアゾン、ＰＡＢＡ、ＰＥＧ−２５ＰＡＢＡ、ペンチルジメチルＰＡＢＡ、フェニルベンゾイミダゾールスルホン酸、ポリアクリルアミドメチルベンジリデンカンファー、メトキシケイ皮酸カリウム、フェニルベンゾイミダゾールスルホン酸カリウム、赤色ワセリン、フェニルベンゾイミダゾールスルホン酸ナトリウム、ウロカニン酸ナトリウム、ＴＥＡ−フェニルベンゾイミダゾールスルホネート、ＴＥＡ−サリチレート、テレフタリリデンジカンファースルホン酸、二酸化チタン、トリＰＡＢＡパンテノール、ウロカニン酸、ＶＡ／クロトネート／メタクリルオキシベンゾフェノン−１コポリマー、及びこれらの混合物である。
【００７１】
発汗抑制剤及びデオドラント剤の例としては、塩化アルミニウム、アルミニウムジルコニウムテトラクロロハイドレックスＧＬＹ、アルミニウムジルコニウムテトラクロロハイドレックスＰＥＧ、アルミニウムクロロハイドレックス、アルミニウムジルコニウムテトラクロロハイドレックスＰＧ、アルミニウムクロロハイドレックスＰＥＧ、アルミニウムジルコニウムトリクロロハイドレート、アルミニウムクロロハイドレックスＰＧ、アルミニウムジルコニウムトリクロロハイドレックスＧＬＹ、ヘキサクロロフェン、塩化ベンザルコニウム、アルミニウムセスキクロロハイドレート、重炭酸ナトリウム、アルミニウムセスキクロロハイドレックスＰＥＧ、クロロフィリン−銅錯体、トリクロサン、アルミニウムジルコニウムオクタクロロハイドレート、リシノール酸亜鉛、及びこれらの混合物が挙げられる。
【００７２】
皮膚保護剤の例としては、アラントイン、酢酸アルミニウム、水酸化アルミニウム、硫酸アルミニウム、カラミン、カカオバター、タラ肝油、コロイド状オートミール、ジメチコン、グリセリン、カオリン、ラノリン、鉱油、ワセリン、サメ肝油、重炭酸ナトリウム、タルク、ウィッチヘーゼル、酢酸亜鉛、炭酸亜鉛、酸化亜鉛、及びこれらの混合物が挙げられる。
【００７３】
染料の例としては、１−アセトキシ−２−メチルナフタレン、酸性染料、５−アミノ−４−クロロ−ｏ−クレゾール、５−アミノ−２，６−ジメトキシ−３−ヒドロキシピリジン、３−アミノ−２，６−ジメチルフェノール、２−アミノ−５−エチルフェノールＨＣｌ、５−アミノ−４−フルオロ−２−メチルフェノールサルフェート、２−アミノ−４−ヒドロキシエチルアミノアニソール、２−アミノ−４−ヒドロキシエチルアミノアニソールサルフェート、２−アミノ−５−ニトロフェノール、４−アミノ−２−ニトロフェノール、４−アミノ−３−ニトロフェノール、２−アミノ−４−ニトロフェノールサルフェート、ｍ−アミノフェノールＨＣｌ、ｐ−アミノフェノールＨＣｌ、ｍ−アミノフェノール、ｏ−アミノフェノール、４，６−ビス（２−ヒドロキシエトキシ）−ｍ−フェニレンジアミンＨＣｌ、２，６−ビス（２−ヒドロキシエトキシ）−３，５−ピリジンジアミンＨＣｌ、２−クロロ−６−エチルアミノ−４−ニトロフェノール、２−クロロ−５−ニトロ−Ｎ−ヒドロキシエチルｐ−フェニレンジアミン、２−クロロ−ｐ−フェニレンジアミン、３，４−ジアミノ安息香酸、４，５−ジアミノ−１−（（４−クロロフェニル）メチル）−１Ｈ−ピラゾール−サルフェート、２，３−ジアミノジヒドロピラゾロピラゾロンジメトスルホネート、２，６−ジアミノピリジン、２，６−ジアミノ−３−（（ピリジン−３−イル）アゾ）ピリジン、ジヒドロキシインドール、ジヒドロキシインドリン、Ｎ，Ｎ−ジメチル−ｐ−フェニレンジアミン、２，６−ジメチル−ｐ−フェニレンジアミン、Ｎ，Ｎ−ジメチル−ｐ−フェニレンジアミンサルフェート、直接染料、４−エトキシ−ｍ−フェニレンジアミンサルフェート、３−エチルアミノ−ｐ−クレゾールサルフェート、Ｎ−エチル−３−ニトロＰＡＢＡ、グルコンアミドプロピルアミノプロピルジメチコン、ヘマトキシロン・ブラジレット（Ｈａｅｍａｔｏｘｙｌｏｎ  ｂｒａｓｉｌｅｔｔｏ）木材抽出物、ＨＣ染料、ローソニア・イネルミス（Ｌａｗｓｏｎｉａ  ｉｎｅｒｍｉｓ）（ヘナ）抽出物、ヒドロキシエチル−３，４−メチレンジオキシアニリンＨＣｌ、ヒドロキシエチル−２−ニトロ−ｐ−トルイジン、ヒドロキシエチル−ｐ−フェニレンジアミンサルフェート、２−ヒドロキシエチルピクラミン酸、ヒドロキシピリジノン、ヒドロキシスクシンイミジルＣ２１〜Ｃ２２イソアルキルアシデート（ａｃｉｄａｔｅ）、イサチン、アイサティス・ティンクトリア（Ｉｓａｔｉｓ  ｔｉｎｃｔｏｒｉａ）葉粉末、２−メトキシメチル−ｐ−フェニレンジアミンサルフェート、２−メトキシ−ｐ−フェニレンジアミンサルフェート、６−メトキシ−２，３−ピリジンジアミンＨＣｌ、４−メチルベンジル４，５−ジアミノピラゾールサルフェート、２，２’−メチレンビス４−アミノフェノール、２，２’−メチレンビス−４−アミノフェノールＨＣｌ、３，４−メチレンジオキシアニリン、２−メチルレゾルシノール、メチルロザニリニウムクロリド、１，５−ナフタレンジオール、１，７−ナフタレンジオール、３−ニトロ−ｐ−クレゾール、２−ニトロ−５−グリセリルメチルアニリン、４−ニトログアイアコール、３−ニトロ−ｐ−ヒドロキシエチルアミノフェノール、２−ニトロ−Ｎ−ヒドロキシエチル−ｐ−アニシジン、ニトロフェノール、４−ニトロフェニルアミノエチルウレア、４−ニトロ−ｏ−フェニレンジアミンジヒドロクロリド、２−ニトロ−ｐ−フェニレンジアミンジヒドロクロリド、４−ニトロ−ｏ−フェニレンジアミンＨＣｌ、４−ニトロ−ｍ−フェニレンジアミン、４−ニトロ−ｏ−フェニレンジアミン、２−ニトロ−ｐ−フェニレンジアミン、４−ニトロ−ｍ−フェニレンジアミンサルフェート、４−ニトロ−ｏ−フェニレンジアミンサルフェート、２−ニトロ−ｐ−フェニレンジアミンサルフェート、６−ニトロ−２，５−ピリジンジアミン、６−ニトロ−ｏ−トルイジン、ＰＥＧ−３  ２，２’−ジ−ｐ−フェニレンジアミン、ｐ−フェニレンジアミンＨＣｌ、ｐ−フェニレンジアミンサルフェート、フェニルメチルピラゾロン、Ｎ−フェニル−ｐ−フェニレンジアミンＨＣｌ、ピグメントブルー１５：１、ピグメントバイオレット２３、ピグメントイエロー１３、ピロカテコール、ピロガロール、レゾルシノール、ピクラミン酸ナトリウム、スルファニル酸ナトリウム、ソルベントイエロー８５、ソルベントイエロー１７２、テトラアミノピリミジンサルフェート、テトラブロモフェノールブルー、２，５，６−トリアミノ−４−ピリミジノールサルフェート、１，２，４−トリヒドロキシベンゼンが挙げられる。
【００７４】
香料の例としては、香料ケトン、及び香料アルデヒドが挙げられる。香料ケトンを例示すると、ブッコキシム、イソジャスモン、メチルベータナフチルケトン、じゃ香インダノン、トナリド／じゃ香プラス、α−ダマスコン、ベータ−ダマスコン、デルタ−ダマスコン、イソ−ダマスコン、ダマセノン、ダマローズ（Ｄａｍａｒｏｓｅ）、ジヒドロジャスモン酸メチル、メントン、カルボン、カンファー、フェンコン、α−イオノン、ベータ−イオノン、ガンマ−メチル、いわゆるイオノン、フル−ラモン（Ｆｌｅｕｒａｍｏｎｅ）、ジヒドロジャスモン、シス−ジャスモン、イソ−Ｅ−スーパー、メチル−セドレニル−ケトン又はメチル−セドリロン（Ｃｅｄｒｙｌｏｎｅ）、アセトフェノン、メチル−アセトフェノン、パラ−メトキシ−アセトフェノン、メチル−ベータ−ナフチル−ケトン、ベンジル−アセトン、ベンゾフェノン、パラ−ヒドロキシ−フェニル−ブタノン、セロリケトン又はライブスコン（Ｌｉｖｅｓｃｏｎｅ）、６−イソプロピルデカハイドロ−２−ナフトン、ジメチル−オクテノン、フレスコメンテ（Ｆｒｅｓｋｏｍｅｎｔｈｅ）、４−（１−エトキシビニル）−３，３，５，５，−テトラメチル−シクロヘキサノン、メチル−ヘプテノン、２−（２−（４−メチル−３−シクロヘキセン−１−イル）プロピル）−シクロペンタノン、１−（ｐ−メンテン−６（２）−イル）−１−プロパノン、４−（４−ヒドロキシ−３−メトキシフェニル）−２−ブタノン、２−アセチル−３，３−ジメチル−ノルボルネン（Ｎｏｒｂｏｒｎａｎｅ）、６，７−ジヒドロ−１，１，２，３，３−ペンタメチル−４（５Ｈ）−インダノン、４−ダマスコール、ドルシニル（Ｄｕｌｃｉｎｙｌ）又はカッシオン（Ｃａｓｓｉｏｎｅ）、ゲルソン（Ｇｅｌｓｏｎｅ）、ヘキサロン（Ｈｅｘｙｌｏｎ）、イソシクレモン（Ｉｓｏｃｙｃｌｅｍｏｎｅ）Ｅ、メチルシクロシトロン、メチル−ラベンダー−ケトン、オリボン（Ｏｒｉｖｏｎ）、パラ−三級−ブチル−シクロヘキサノン、ヴェルドーネ、デルホン（Ｄｅｌｐｈｏｎｅ）、ムスコン、ネオブテノン（Ｎｅｏｂｕｔｅｎｏｎｅ）、プリカトン（Ｐｌｉｃａｔｏｎｅ）、ベロウトン（Ｖｅｌｏｕｔｏｎｅ）、２，４，４，７−テトラメチル−オクタ−６−エン−３−オン、及びテトラメラン（Ｔｅｔｒａｍｅｒａｎ）である。
【００７５】
特定の実施形態では、香料ケトンは、α−ダマスコン、δ−ダマスコン、イソダマスコン、カルボン、γ−メチル−イオノン、Ｉｓｏ−Ｅ−Ｓｕｐｅｒ、２，４，４，７−テトラメチル−オクタ−６−エン−３−オン、ベンジルアセトン、βダマスコン、ダマセノン、メチルジヒドロジャスモネート、メチルセドリロン（ｍｅｔｈｙｌ  ｃｅｄｒｙｌｏｎｅ）、及びこれらの混合物から、臭気特性のため選択される。
【００７６】
特定の実施形態では、香料アルデヒドは、アドキサール、アニスアルデヒド、サイマール、エチルバニリン、フロールヒドラル（ｆｌｏｒｈｙｄｒａｌ）、ヘリオナル、ヘリオトロピン、ヒドロキシシトロネラール、コアボン（ｋｏａｖｏｎｅ）、ラウリンアルデヒド、リラール、メチルノニルアセトアルデヒド、Ｐ．Ｔ．ブシナール、フェニルアセトアルデヒド、ウンデシレンアルデヒド、バニリン、２，６，１０−トリメチル−９−ウンデセナール、３−ドデセン−１−アール、α−ｎ−アミルシンナミックアルデヒド、４−メトキシベンズアルデヒド、ベンズアルデヒド、３−（４−ｔｅｒｔブチルフェニル）−プロパナール、２−メチル−３−（パラ−メトキシフェニルプロパナール、２−メチル−４−（２，６，６−トリメチル−２（１）−シクロヘキセン−１−イル）ブタナール、３−フェニル−２−プロペナール、シス−／トランス−３，７−ジメチル−２，６−オクタジエン−１−アール、３，７−ジメチル−６−オクテン−１−アール、［（３，７−ジメチル−６−オクテニル）オキシ］アセトアルデヒド、４−イソプロピルベンズアルデヒド、１，２，３，４，５，６，７，８−オクタヒドロ−８，８−ジメチル−２−ナフトアルデヒド、２，４−ジメチル−３−シクロヘキセン−１−カルボキシアルデヒド、２−メチル−３−（イソプロピルフェニル）プロパナール、１−デカナール、デシルアルデヒド、２，６−ジメチル−５−ヘプテナール、４−（トリシクロ［５．２．１．０（２，６）］−デシリデン−８）−ブタナール、オクタヒドロ−４，７−メタノ−１Ｈ−インデンカルボキシアルデヒド、３−エトキシ−４−ヒドロキシベンズアルデヒド、パラ−エチル−α，α−ジメチルヒドロシンナムアルデヒド、α−メチル−３，４−（メチレンジオキシ）−ヒドロシンナムアルデヒド、３，４−メチレンジオキシベンズアルデヒド、α−ｎ−ヘキシルシンナミックアルデヒド、ｍ−シメン−７−カルボキシアルデヒド、α−メチルフェニルアセトアルデヒド、７−ヒドロキシ−３，７−ジメチルオクタナール、ウンデセナール、２，４，６−トリメチル−３−シクロヘキセン−１−カルボキシアルデヒド、４−（３）（４−メチル−３−ペンテニル）−３−シクロヘキセン−カルボキシアルデヒド、１−ドデカナール、２，４−ジメチルシクロヘキセン−３−カルボキシアルデヒド、４−（４−ヒドロキシ−４−メチルペンチル）−３−シクロヘキセン−１−カルボキシアルデヒド、７−メトキシ−３，７−ジメチルオクタン−１−アール、２−メチルウンデカナール、２−メチルデカナール、１−ノナナール、１−オクタナール、２，６，１０−トリメチル−５，９−ウンデカジエナール、２−メチル−３−（４−ｔｅｒｔブチル）プロパナール、ジヒドロシンナミックアルデヒド、１−メチル−４−（４−メチル−３−ペンテニル）−３−シクロヘキセン−１−カルボキシアルデヒド、５又は６メトキシ１０ヘキサヒドロ−４，７−メタノインダン−１又は２−カルボキシアルデヒド、３，７−ジメチルオクタン−１−アール、１−ウンデカナール、１０−ウンデセン−１−アール、４−ヒドロキシ−３−メトキシベンズアルデヒド、１−メチル−３−（４−メチルペンチル）−３−シクルヘキセン（ｃｙｃｌｈｅｘｅｎｅ）カルボキシアルデヒド、７−ヒドロキシ−３，７−ジメチル−オクタナール、トランス−４−デセナール、２，６−ノナジエナール、パラトリルアセトアルデヒド、４−メチルフェニルアセトアルデヒド、２−メチル−４−（２，６，６−トリメチル−１−シクロヘキセン−１−イル）−２−ブテナール、オルト−メトキシシンナミックアルデヒド、３，５，６−トリメチル−３−シクロヘキセンカルボキシアルデヒド、３，７−ジメチル−２−メチレン−６−オクテナール、フェノキシアセトアルデヒド、５，９−ジメチル−４，８−デカジエナール、ピオニーアルデヒド（ｐｅｏｎｙ  ａｌｄｅｈｙｄｅ）（６，１０−ジメチル−３−オキサ−５，９−ウンデカジエン−１−アール）、ヘキサヒドロ−４，７−メタノインダン−１−カルボキシアルデヒド、２−メチルオクタナール、α−メチル−４−（１−メチルエチル）ベンゼンアセトアルデヒド、６，６−ジメチル−２−ノルピネン−２−プロピオンアルデヒド、パラメチルフェノキシアセトアルデヒド、２−メチル−３−フェニル−２−プロペン−１−アール、３，５，５−トリメチルヘキサナール、ヘキサヒドロ−８，８−ジメチル−２−ナフトアルデヒド、３−プロピル−ビシクロ［２．２．１］−ヘプタ−５−エン−２−カルボアルデヒド、９−デセナール、３−メチル−５−フェニル−１−ペンタナール、メチルノニルアセトアルデヒド、ヘキサナール、トランス−２−ヘキセナール、１−ｐ−メンテン−ｑ−カルボキシアルデヒド、及びこれらの混合物から、臭気特性のため選択される。
【００７７】
抗酸化剤の例は、アセチルシステイン、アルブチン、アスコルビン酸、アスコルビン酸ポリペプチド、アスコルビン酸ジパルミテート、アスコルビン酸メチルシラノールペクチネート、アスコルビン酸パルミテート、アスコルビン酸ステアレート、ＢＨＡ、ｐ−ヒドロキシアニソール、ＢＨＴ、ｔ−ブチルヒドロキノン、カフェー酸、チャノキ油、キトサンアスコルベート、キトサングリコレート、キトサンサリチレート、クロロゲン酸、システイン、システインＨＣｌ、デシルメルカプトメチルイミダゾール、エリソルビン酸、ジアミルヒドロキノン、ジ−ｔ−ブチルヒドロキノン、ジセチルチオジプロピネート、ジシクロペンタジエン／ｔ−ブチルクレゾールコポリマー、ジガロイルトリオレエート、ジラウリルチオジプロピオネート、ジミリスチルチオジプロピオネート、ジオレイルトコフェリルメチルシラノール、イソクエルシトリン、ジオスミン、アスコルビン酸硫酸二ナトリウム、ルチニル二硫酸二ナトリウム、ジステアリルチオジプロピオネート、ジトリデシルチオジプロピオネート、ドデシルガレート、エチルフェルレート、フェルラ酸、ヒドロキノン、ヒドロキシルアミンＨＣｌ、ヒドロキシルアミンサルフェート、イソオクチルチオグリコレート、コウジ酸、マデカシコシド（ｍａｄｅｃａｓｓｉｃｏｓｉｄｅ）、アスコルビン酸マグネシウム、アスコルビン酸リン酸マグネシウム、メラトニン、メトキシ−ＰＥＧ−７ルチニルスクシネート、メチレンジ−ｔ−ブチルクレゾール、メチルシラノールアスコルベート、ノルジヒドログアイアレチン酸、オクチルガレート、フェニルチオグリコール酸、フロログルシノール、アスコルビン酸トコフェリルリン酸カリウム、チオジグリコールアミド、亜硫酸カリウム、プロピルガレート、ロスマリン酸、ルチン、アスコルビン酸ナトリウム、アスコルビン酸／コレステリルリン酸ナトリウム、亜硫酸水素ナトリウム、エリトルビン酸ナトリウム、メタ二硫化ナトリウム、亜硫酸ナトリウム、チオグリコール酸ナトリウム、ソルビチルフルフラール、ティーツリー（Ｍｅｌａｌｅｕｃａ  ａｆｔｅｍｉｆｏｌｉａ）油、トコフェリルアセテート、テトラヘキシルデシルアスコルベート、テトラヒドロジフェルロイルメタン、トコフェリルリノレート／オレエート、チオジグリコール、トコフェリルスクシネート、チオジグリコール酸、チオグリコール酸、チオ乳酸、チオサリチル酸、チオタウリン、レチノール、トコフェレス−５、トコフェレス−１０、トコフェレス−１２、トコフェレス−１８、トコフェレス−５０、トコフェロール、トコフェルソラン、トコフェリルリノレート、トコフェリルニコチネート、トコキノン、ｏ−トリルビグアニド、トリス（ノニルフェニル）ホスファイト、ユビキノン、ジブチルジチオカルバミン酸亜鉛、及びこれらの混合物である。
【００７８】
噴射剤ガスの例としては、二酸化炭素、窒素、亜酸化窒素、揮発性炭化水素（ブタン、イソブタン、又はプロパン等）、並びにジクロロジフルオロメタン及びジクロロテトラフルオロエタン等の塩素化又はフッ素化炭化水素、又はジメチルエーテル、並びにこれらの混合物が挙げられる。
【００７９】
特定の実施形態では、組成物は日焼け止めである。これらの実施形態では、パーソナルケア成分は、この日焼け止め剤を含む。日焼け止め剤は、例えば、日焼け止め添加剤、ＳＰＦブースタ、光安定剤、フィルム形成ポリマー等であり得る。日焼け止め剤は、更に又は代替的に、サンレスタンニング用途において使用することもできる。日焼け止め剤の具体例は、上記のものである。
【００８０】
他の実施形態において、（Ｃ）パーソナルケア成分は、毛髪ケア成分を含む。これらの実施形態では、組成物は、ヘアケア組成物とも称され得る。組成物の調製に使用する場合、ヘアケア成分は、典型的には、コンディショニング剤（シリコーン、カチオン性コンディショニング剤、疎水性コンディショニング剤等であってよい）、着色剤、染料、紫外線（ＵＶ）吸収剤、防腐剤、植物抽出物、脂肪族アルコール、ビタミン、香料、抗フケ剤、カラーケア添加剤、真珠光沢（ｐｅａｒｌｉｓｉｎｇ）剤、ｐＨ調整剤、電解質、キレート剤、スタイリング剤、セラミド、アミノ酸誘導体、懸濁剤、界面活性剤、洗浄剤、乳化剤、増粘剤、酸化剤、還元剤、フィルム形成ポリマー、及びこれらの組み合わせから選択される。これらの毛髪ケア実施形態のうちのいくつかでは、組成物は、シャンプー、リンス・オフ・コンディショナー、リーブ・イン・コンディショナー、ジェル、ポマード、セラム、スプレー、着色製品、又はマスカラとも称され得る。これらのヘアケア成分の多くの例を、好適なパーソナルケア成分として上記した。
【００８１】
酸化剤の例は、過硫酸アンモニウム、過酸化カルシウム、過酸化水素、過酸化マグネシウム、過酸化メラミン、臭素酸カリウム、カロ酸カリウム、塩素酸カリウム、過硫酸カリウム、臭素酸ナトリウム、炭酸ナトリウム過酸化物、塩素酸ナトリウム、ヨウ素酸ナトリウム、過ホウ素酸ナトリウム、過硫酸ナトリウム、二酸化ストロンチウム、過酸化ストロンチウム、過酸化尿素、過酸化亜鉛、及びこれらの混合物である。
【００８２】
還元剤の例は、重亜硫酸アンモニウム、亜硫酸アンモニウム、チオグリコール酸アンモニウム、チオ乳酸アンモニウム、システアミン（ｃｙｓｔｅｍａｉｎｅ）ＨＣｌ、システイン、システインＨＣｌ、エタノールアミンチオグリコレート、グルタチオン、グリセリルチオグリコレート、グリセリルチオプロピオネート、ヒドロキノン、ｐ−ヒドロキシアニソール、イソオクチルチオグリコレート、チオグリコール酸マグネシウム、メルカプトプロピオン酸、メタ重亜硫酸カリウム、亜硫酸カリウム、チオグリコール酸カリウム、重亜硫酸ナトリウム、次亜硫酸ナトリウム、ヒドロキシメタンスルホン酸ナトリウム、メタ重亜硫酸ナトリウム、亜硫酸ナトリウム、チオグリコール酸ナトリウム、チオグリコール酸ストロンチウム、スーパーオキサイドジスムターゼ、チオグリセリン、チオグリコール酸、チオ乳酸、チオサリチル酸、亜鉛ホルムアルデヒドスルホキシレート、及びこれらの混合物である。
【００８３】
ふけ防止剤の例としては、ピリジンチオン塩、セレン化合物（例えば、二硫化セレン）、及び可溶性ふけ防止剤、並びにこれらの混合物が挙げられる。
【００８４】
他の実施形態において、（Ｃ）パーソナルケア成分は、ネイルケア成分を含む。これらの実施形態では、組成物は、ネイルケア組成物とも称され得る。組成物の調製に使用される場合、ネイルケア成分は、例えば、ネイルポリッシュ、ネイルジェル、ネイルチップ、アクリルフィニッシュなどといったネイルケア組成物に使用される任意の成分であり得る。かかるネイルケア成分の例としては、顔料、樹脂、溶媒、揮発性ハロゲン化合物（例えばメトキシノナフルオロブタン及び／又はエトキシノナフルオロブタン）等が挙げられる。
【００８５】
より具体的には、ネイルケア成分の例としては、ブチルアセテート、エチルアセテート、ニトロセルロース、アセチルトリブチルシトレート、イソプロピルアルコール、アジピン酸／ネオペンチルグリコール／無水トリメリト酸（ｔｒｉｍｅｌｉｔｉｃ  ａｎｈｙｄｒｉｄｅ）コポリマー、ステアラルコニウムベントナイト、アクリレートコポリマー、パントテン酸カルシウム、セトラリア・イスランディカ（Ｃｅｔｒａｒｉａ  ｉｓｌａｎｄｉｃａ）抽出物、コンドラス・クリスプス（Ｃｈｏｎｄｒｕｓ  ｃｒｉｓｐｕｓ）、スチレン／アクリレートコポリマー、トリメチルペンタンジイルジベンゾエート−１、ポリビニルブチラール、Ｎ−ブチルアルコール、プロピレングリコール、ブチレングリコール、雲母、シリカ、酸化スズ、ホウケイ酸カルシウム、合成フッ素金雲母、ポリエチレンテレフタレート、ラウリン酸ソルビタン誘導体、タルク；ホホバ抽出物、ダイアモンド粉末、イソブチルフェノキシエポキシ樹脂、シルクパウダー、及びこれらの混合物が挙げられる。
【００８６】
他の実施形態において、（Ｃ）パーソナルケア成分は、歯のケア成分を含む。これらの実施形態では、組成物は、歯ケア組成物とも称され得る。かかる歯ケア組成物の１つの具体例は、歯磨き粉である。歯ケア組成物の別の例は、歯の美白用組成物である。歯ケア成分は、歯ケア組成物に好適な任意の歯ケア成分、例えば、研磨化合物（例えば、水酸化アルミニウム、炭酸カルシウム、シリカ、ゼオライト）、フルオライド化合物、界面活性剤、風味剤、再石灰化剤、抗菌剤等であってもよい。
【００８７】
ある種の実施形態では、（Ｃ）パーソナルケア成分は、組成物がスキンケア又はヘアケア等のいずれに使用される場合であっても、（Ｃ）パーソナルケア成分として使用され得る、フィルム形成ポリマーを含む。本明細書で使用するとき、「フィルム形成ポリマー」は、そのものが、又は任意選択的にフィルム形成剤の存在下で、基質上にフィルムの形成可能なポリマー又はオリゴマーを意味する。フィルム形成ポリマーは、例えば、加熱、周囲条件への曝露、などといった、硬化条件の適用時にフィルムを形成し得る。代替的に、フィルム形成ポリマーは、フィルム形成ポリマーが任意選択的に処理され得る任意のキャリアビヒクルの蒸発時に、フィルムを形成することができる。フィルム形成ポリマーは、フィルムを形成する際に、例えば、フィルム形成ポリマーが架橋され得る、又はさもなければ更なる結合を含み得る、反応にかけられてもよい。しかしながら、かかる反応がなくとも、フィルム形成ポリマーは、フィルムを形成し得る。フィルム形成ポリマーは、ゲル化剤であり得る。フィルム形成ポリマーは、組成物が日焼け止め剤である場合に特に有利であるが、（Ｃ）パーソナルケア成分は、他の組成物においても、フィルム形成ポリマーを同様に含み得る。
【００８８】
フィルムが形成される基質は任意の基質であってもよいが、処置方法について以下詳細に記載するとおり、基質は、一般的には哺乳動物、特にヒトの一部分である。好適な基質の具体例としては、皮膚（スキン）、毛髪（ヘア）、及び爪（ネイル）が挙げられる。
【００８９】
一般に、フィルムは、連続しているが、フィルムは、様々な厚さを有し得る。「連続」とは、フィルムがなんら開口部を定めないことを意味する。フィルムは、肉眼的に連続しているとして称され得る。フィルムは、基質により支持されてよく、又は例えば、物理的及び／又は化学的に基質に結合されてよい。ある種の実施形態では、このフィルムは任意選択的に基質から取り外し可能なものであり、例えば、フィルムは基質から剥離可能なものであり得る。フィルムは、基質からの分離時に損傷させずに自立フィルムのまま保つことができ、又はフィルムの連続性を損ない得る及び／又は破壊し得る剪断を加えて分離されてもよい。
【００９０】
好適なフィルム形成ポリマーの具体例としては、アクリルポリマー、ポリウレタン、ポリウレタン−アクリル、ポリエステル、ポリエステル−ポリウレタン、ポリエーテル−ポリウレタン、ポリエステルアミド、アルキド、ポリアミド、ポリウレア、ポリウレア−ポリウレタン、セルロース系ポリマー（例えば、ニトロセルロース）、シリコーン、アクリル−シリコーン、ポリアクリルアミド、フルオロポリマー、ポリイソプレン、及びこれらの任意のコポリマー若しくはターポリマー、又はこれらのうちの１つを含むものが挙げられる。好適なフィルム形成ポリマーについて本明細書で使用するとき、「シリコーン」という用語は、直鎖状、分枝状、及び樹脂シリコーンを含むが、樹脂シリコーンは、一般的に、ポリマーではなくシリコーン樹脂と称される。シリコーンは変性されていてもよく、例えばシリコーンは、シリコーングラフトアクリルポリマーであってもよい。特定の一実施形態では、フィルム形成ポリマーは、ＭＱ樹脂を含む。ＭＱ樹脂は、シリコーン樹脂−直鎖状コポリマーとＭＱ樹脂との組み合わせ重量に基づいて、０超〜９０、代替的に１０〜９０重量％の量でシリコーン樹脂−直鎖状コポリマーと組み合わされてもよい。ＭＱ樹脂は限定されず、Ｍ及びＱシロキシ単位の任意の所望のモル分率を有し得る。
【００９１】
上記案内のとおり、フィルム形成ポリマーは、フィルム形成ポリマーを一部又は完全に溶解可能であり得るキャリアビヒクル中に配置され得る。フィルム形成ポリマーの選択により、キャリアビヒクルは、例えば、油、例えば有機油及び／又はシリコーン油、溶媒、水等であり得る。フィルム形成ポリマーは、任意選択的に少なくとも１種の安定化剤により表面が安定化されているポリマー粒子の形態であってよく、ポリマー粒子は、分散体又はエマルジョンとして存在し得る。
【００９２】
フィルム形成ポリマーは、スチレンを含まないものであり得るブロックポリマーであってよい。典型的には、ブロックポリマーは、少なくとも１つの第１のブロックと、少なくとも１つの第２のブロックとを含み、これらのブロックは、第１のブロックの少なくとも１つの構成モノマーと、第２のブロックの少なくとも１つの構成モノマーとを含む、中間体ブロックにより共に連結されていてよい。一般に、第１及び第２のブロックのガラス転移温度は互いに異なる。
【００９３】
ブロックポリマーの調製に使用できるモノマーとしては、例えば、メチルメタクリレート、イソブチル（メタ）アクリレート及びイソボルニル（メタ）アクリレート、メチルアクリレート、イソブチルアクリレート、ｎ−ブチルメタクリレート、シクロデシルアクリレート、ネオペンチルアクリレート、イソデシルアクリルアミド２−エチルヘキシルアクリレート、及びこれらの混合物が挙げられる。
【００９４】
特定の実施形態では、フィルム形成ポリマーは、フリーラジカル重合を介して得られ又は生成され得る。例えば、少なくとも１種のアクリルモノマーと、重合性末端基を含む少なくとも１種のシリコーン又は炭化水素系マクロモノマーとを、フリーラジカル重合させて、フィルム形成ポリマーを生成することもできる。
【００９５】
炭化水素系マクロモノマーの具体例としては、直鎖状又は分枝状のＣ８−Ｃ２２のアルキルアクリレート又はメタクリレートの、ホモポリマー及びコポリマーが挙げられる。重合性末端基は、ビニル基又は（メタ）アクリレート基であってもよく、例えば、ポリ（２−エチルヘキシルアクリレート）マクロモノマー、ポリ（ドデシルアクリレート）又はポリ（ドデシルメタクリレート）マクロモノマー、ポリ（ステアリルアクリレート）又はポリ（ステアリルメタクリレート）マクロモノマー等であってもよい。かかるマクロモノマーは、一般的に重合性末端基として１つの（メタ）アクリレート基を含む。
【００９６】
炭化水素系マクロモノマーの更なる例としては、（重合性末端基として）エチレン性不飽和末端基、例えば（メタ）アクリレート末端基を含む、ポリオレフィンが挙げられる。かかるポリオレフィンの具体例としては、ポリエチレンマクロモノマー、ポリプロピレンマクロモノマー、ポリエチレン／ポリプロピレンコポリマーマクロモノマー、ポリエチレン／ポリブチレンコポリマーマクロモノマー、ポリイソブチレンマクロモノマー、ポリブタジエンマクロモノマー、ポリイソプレンマクロモノマー、ポリブタジエンマクロモノマー、及びポリ（エチレン／ブチレン）−ポリイソプレンマクロモノマーが挙げられる。
【００９７】
シリコーン系マクロモノマーの例としては、重合性末端基、例えば（メタ）アクリレート末端基を含むオルガノポリシロキサンが挙げられる。オルガノポリシロキサンは、直鎖状、分枝状、部分的に分枝状、又は樹脂であってよい。様々な実施形態では、オルガノポリシロキサンは直鎖状である。これらの実施形態では、オルガノポリシロキサンは、ポリジメチルシロキサンであってもよいが、メチル基以外の炭化水素基がメチル基と共に又はメチル基の代わりに存在してもよい。典型的には、重合性末端基は末端であるが、重合性末端基は任意選択的にペンダントであってもよい。シリコーン系マクロモノマーの１つの具体例は、モノメタクリルオキシプロピルポリジメチルシロキサンである。
【００９８】
ある種の実施形態では、フィルム形成ポリマーは、キャリアビヒクルとしての油に可溶性である有機のフィルム形成ポリマーである。これらの実施形態では、フィルム形成ポリマーは、脂溶性ポリマーと称され得る。脂溶性ポリマーは任意のタイプのものであってよく、それらの具体例としては、オレフィン、シクロオレフィン、ブタジエン、イソプレン、スチレン、ビニルエーテル、ビニルエステル、ビニルアミド、（メタ）アクリル酸エステル若しくはアミド等を含むもの、又はこれらから形成されたものが挙げられる。
【００９９】
一実施形態では、脂溶性ポリマーは、イソオクチル（メタ）アクリレート、イソノニル（メタ）アクリレート、２−エチルヘキシル（メタ）アクリレート、ラウリル（メタ）アクリレート、イソペンチル（メタ）アクリレート、ｎ−ブチル（メタ）アクリレート、イソブチル（メタ）アクリレート、メチル（メタ）アクリレート、ｔｅｒｔ−ブチル（メタ）アクリレート、トリデシル（メタ）アクリレート、ステアリル（メタ）アクリレート、及びこれらの組み合わせからなる群から選択されるモノマーから形成される。
【０１００】
代替的に更に、脂溶性ポリマーは、典型的には、シリコーン主鎖と、アクリルグラフトと、を含むか、又は代替的にアクリル主鎖と、シリコーングラフトと、を含む、アクリル−シリコーングラフトポリマーであり得る。
【０１０１】
フィルム形成ポリマーは、ハロゲン化されていてもよく、例えば、フィルム形成ポリマーは、フッ素原子を含んでいてもよい。
【０１０２】
代替的に上に記載したとおり、フィルム形成ポリマーは、ニトロセルロース、セルロースアセテート、セルロースアセトブチレート、セルロースアセトプロピオネート、又はエチルセルロース等のセルロース系ポリマーであってもよい。代替的に更に、フィルム形成ポリマーは、ポリウレタン、アクリルポリマー、ビニルポリマー、ポリビニルブチラール、アルキド樹脂、又はアリールスルホンアミド−ホルムアルデヒド樹脂等のアルデヒド縮合生成物由来の樹脂を含み得る。
【０１０３】
更に、上に記載したとおり、フィルム形成ポリマーはシリコーンを含んでもよく、直鎖状、分枝状、及び樹脂であり得る。樹脂シリコーンは、一般的に、当業界で理解されるとおり、少なくとも１つのＴ及び／又はＱ単位を含む。樹脂シリコーンの例としては、シルセスキオキサンが挙げられる。シリコーンは、フィルム形成ポリマーを構成するのであれば、Ｍ、Ｄ、Ｔ、及びＱ単位の任意の組み合わせを含んでもよい。
【０１０４】
フィルム形成ポリマーがシリコーンを含む場合、フィルム形成ポリマーは両親媒性シリコーンを含んでいてもよい。両親媒性シリコーンは、典型的には、シリコーン媒体と相溶性のあるシリコーン部分と親水性部分とを含む。親水性部分は、例えば、ヒドロキシル基を１〜１２個有するアルコール及びポリオール、並びにポリオキシアルキレン（例えば、オキシプロピレン単位及び／又はオキシエチレン単位を含むもの）から選択される化合物の残基であり得る。
【０１０５】
両親媒性シリコーンは、ゲル化有効成分を有するか、又は有しない油であり得る。この種の油は、例えば、ジメチコンコポリオールを含み得る。
【０１０６】
一実施形態では、フィルム形成ポリマーは、シリコーン有機エラストマーゲルを含む。シリコーン有機エラストマーゲルは、ポリオキシアルキレンにより架橋された直鎖状オルガノポリシロキサン鎖を含む。シリコーン有機エラストマーゲルは、直鎖状オルガノポリシロキサン鎖からペンダントとして延びている親水性ポリエーテル官能性を更に含んでいてもよい。好適なシリコーン有機エラストマーゲルの具体例は、国際（ＰＣＴ）出願第ＰＣＴ／ＵＳ２０１０／０２０１１０号において開示されており、その全容が参照により本明細書に組み込まれる。
【０１０７】
フィルム形成ポリマーとしての使用に好適な架橋シリコーン化合物の更なる例は、米国特許出願第１０／２６９，７５８号、及び同第１０／２２８，８９０号に開示されており、そのそれぞれの全容が参照により本明細書に組み込まれる。組成物に好適な他のフィルム形成ポリマーの追加の例は、国際出願第ＰＣＴ／ＥＰ２００７／０６４２５９号、同第ＰＣＴ／ＥＰ２００７／０６０６８２号、及び同第ＰＣＴ／ＥＰ２００５／０１３０１８号において開示されており、各々の全容が参照により本明細書に組み込まれる。
【０１０８】
（Ｃ）パーソナルケア成分がフィルム形成ポリマーを含む場合、フィルム形成ポリマーは、様々な量で、例えば、組成物の総重量に基づいて０重量％超〜１００重量％未満、代替的に０．１重量％〜６０重量％、代替的に０．１重量％〜５０重量％の量で、組成物中に存在し得る。異なる種類のフィルム形成ポリマーの組み合わせを使用することもできる。
【０１０９】
様々な実施形態において、（Ｃ）パーソナルケア成分は、パーソナルケア有効成分、ヘルスケア有効成分、又はこれらの組み合わせ（まとめて「有効成分（複数可）」）を含み得るか、又はそう称され得る。本明細書で使用するとき、「パーソナルケア有効成分」は、パーソナルケア処方物中の添加剤として当該技術分野において既知であり、典型的には、化粧及び美容上の利点をもたらす、任意の化合物、又は化合物の混合物を意味する。「ヘルスケア有効成分」は、薬学的又は医学的利点をもたらすことが当該技術分野において既知である、任意の化合物又は化合物の混合物を意味する。したがって、「ヘルスケア有効成分」としては、一般的に使用され、ｔｈｅ  Ｃｏｄｅ  ｏｆ  Ｆｅｄｅｒａｌ  Ｒｅｇｕｌａｔｉｏｎｓ，Ｐａｒｔｓ  ２００〜２９９及びＰａｒｔｓ  ３００〜４９９のＴｉｔｌｅ  ２１，Ｃｈａｐｔｅｒ  Ｉに記されるｔｈｅ  Ｕｎｉｔｅｄ  Ｓｔａｔｅｓ  Ｄｅｐａｒｔｍｅｎｔ  ｏｆ  Ｈｅａｌｔｈ  ＆  Ｈｕｍａｎ  Ｓｅｒｖｉｃｅｓ  Ｆｏｏｄ  ａｎｄ  Ｄｒｕｇ  Ａｄｍｉｎｉｓｔｒａｔｉｏｎに定義される有効成分、又は薬物有効成分と考えられる材料が挙げられる。具体的なパーソナルケア有効成分及びヘルスケア有効成分を以下に記載する。これらのパーソナルケア有効成分及びヘルスケア有効成分により、（Ｃ）パーソナルケア成分を用いて例えばスキンケア組成物、毛髪ケア組成物、ネイルケア組成物、及び／又は歯のケア組成物のいずれを形成するにせよ、（Ｃ）パーソナルケア成分を構成することができる。例えば、様々な実施形態では、同一のパーソナルケア成分が、ヘアケア組成物又はスキンケア組成物のいずれかを形成するために使用され得る。当業界で理解されるとおり、以下に記載されるパーソナルケア有効成分の少なくともいくつかは、それぞれ、スキンケア組成物、ヘアケア組成物、ネイルケア組成物、及び歯ケア組成物に関して上記したある種のパーソナルケア成分である。例えば、好適なパーソナルケア成分として前述した植物抽出物の例示的な例となる多種の植物抽出物又は野菜抽出物を、以下に記載する。以下に記載の有効な成分、すなわち有効成分は、組成物の（Ｃ）パーソナルケア成分を構成することができ、又はそれらと組み合わせて使用することができる。
【０１１０】
本組成物に使用するのに有用な有効成分として、ビタミン及び「プロビタミン」を含むその誘導体が挙げられる。本明細書で有用なビタミンとしては、ビタミンＡ１、レチノール、レチノールのＣ２−Ｃ１８エステル、ビタミンＥ、トコフェノール、ビタミンＥのエステル、及びこれらの混合物が挙げられるが、これらに限定されない。レチノールとしては、トランス−レチノール、１，３−シス−レチノール、１１−シス−レチノール、９−シス−レチノール、及び３，４−ジデヒドロ−レチノール、ビタミンＣ及びその誘導体、ビタミンＢ１、ビタミンＢ２、プロビタミンＢ５、パンテノール、ビタミンＢ６、ビタミンＢ１２、ナイアシン、葉酸、ビオチン、並びにパントテン酸が挙げられる。本明細書に含まれるとみなされる他の好適なビタミン及びそのビタミンのＩＮＣＩ名は、ジパルミチン酸アスコルビル、ペクチン酸アスコルビルメチルシラノール、パルミチン酸アスコルビル、ステアリン酸アスコルビル、アスコルビン酸グルコシド（ｇｌｕｃｏｃｉｄｅ）、リン酸アスコルビルナトリウム、アスコルビン酸ナトリウム、硫酸アスコルビル二ナトリウム、リン酸（アスコルビル／トコフェリル）カリウムである。一般に、レチノール、全トランス型レチノイン酸及びそれらの誘導体、それらの異性体及び類縁体は、「レチノイド」と総称される。
【０１１１】
なお、レチノールとは、米国化粧品工業会（ＣＴＦＡ）（Ｗａｓｈｉｎｇｔｏｎ  ＤＣ）により指定されるビタミンＡの化粧品原料国際命名法（ＩＮＣＩ）による名前である。本明細書に含まれると考えられる他の好適なビタミン及びそのビタミンのＩＮＣＩ名は、レチニルアセテート、レチニルパルミテート、レチニルプロピオネート、α−トコフェロール、トコフェルソラン、トコフェリルアセテート、トコフェリルリノレート、トコフェリルニコチネート、及びトコフェリルスクシネートである。
【０１１２】
本明細書での使用に好適な市販の製品のいくつかの例には、ビタミンＡアセテート及びビタミンＣ（いずれもＦｌｕｋａ  Ｃｈｅｍｉｅ  ＡＧ，Ｂｕｃｈｓ，Ｓｗｉｔｚｅｒｌａｎｄの製品）；ＣＯＶＩ−ＯＸ  Ｔ−５０（Ｈｅｎｋｅｌ  Ｃｏｒｐｏｒａｔｉｏｎ，Ｌａ  Ｇｒａｎｇｅ，ＩｌｌｉｎｏｉｓのビタミンＥ製品）；ＣＯＶＩ−ＯＸ  Ｔ−７０（Ｈｅｎｋｅｌ  Ｃｏｒｐｏｒａｔｉｏｎ，Ｌａ  Ｇｒａｎｇｅ，Ｉｌｌｉｎｏｉｓの別のビタミンＥ製品）；並びにビタミンＥアセテート（Ｒｏｃｈｅ  Ｖｉｔａｍｉｎｓ  ＆  Ｆｉｎｅ  Ｃｈｅｍｉｃａｌｓ，Ｎｕｔｌｅｙ，Ｎｅｗ  Ｊｅｒｓｅｙの製品）がある。
【０１１３】
有効成分は、酵素等のタンパク質であってもよい。酵素としては、市販のもの、改良型、組み換え型、野生型、自然界にみられない変異型、及びこれらの混合物が挙げられるが、これらに限定されない。例えば、好適な酵素としては、ヒドロラーゼ、クチナーゼ、オキシダーゼ、トランスフェラーゼ、レダクターゼ、ヘミセルラーゼ、エステラーゼ、イソメラーゼ、ペクチナーゼ、ラクターゼ、ペルオキシダーゼ、ラッカーゼ、カタラーゼ、及びこれらの混合物が挙げられる。ヒドロラーゼとしては、プロテアーゼ（細菌性、真菌性、酸性、中性、又はアルカリ性）、アミラーゼ（α又はβ）、リパーゼ、マンナナーゼ、セルラーゼ、コラゲナーゼ、リゾチーム（ｌｉｓｏｚｙｍｅｓ）、スーパーオキサイドジスムターゼ、カタラーゼ、及びこれらの混合物が挙げられるが、これらに限定されない。プロテアーゼとしては、トリプシン、キモトリプシン、ペプシン、パンクレアチン、及び他の哺乳類酵素、パパイン、ブロメライン、及び他の植物性酵素、スブチリシン、エピデルミン、ナイシン、ナリンギナーゼ（Ｌ−ラムノシダーゼ）ウロキナーゼ、及び他の細菌性酵素が挙げられるが、これらに限定されない。リパーゼとしては、トリアシル−グリセロールリパーゼ、モノアシル−グリセロールリパーゼ、リポタンパク質リパーゼ、例えばステアプシン、エレプシン、ペプシン、他の哺乳、植物、細菌リパーゼ、及びこれらの精製物が挙げられるが、これらに限定されない。特定の実施形態では、天然のパパインを酵素として使用する。更に、刺激ホルモン、例えば、インスリンを、酵素と共に用いてその有効性を強化することができる。
【０１１４】
有効成分は、１種以上の植物抽出物又は野菜抽出物であってもよい。これらの成分の例は、以下のとおりである：アシタバ抽出物、アボカド抽出物、アジサイ抽出物、ムクゲ抽出物、ウサギギク抽出物、アロエ抽出物、アンズ抽出物、キョウニン抽出物、イチョウ抽出物、ウイキョウ抽出物、ターメリック［ウコン］抽出物、ウーロン茶抽出物、エイジツ抽出物、エキナシア抽出物、オウゴン抽出物、オウバク（Ｐｈｅｌｌｏｄｅｎｄｒｏ  ｂａｒｋ）抽出物、オウレン抽出物、大麦抽出物、ヒペリカム（Ｈｙｐｅｒｉｕｍ）抽出物、オドリコソウ抽出物、オランダガラシ抽出物、オレンジ抽出物、乾燥させた海水、海藻抽出物、加水分解エラスチン、加水分解小麦粉末、加水分解絹、カモミール抽出物、ニンジン抽出物、アルテミシア抽出物、天草抽出物、ハイビスカス茶抽出物、ピラカンサ（Ｐｙｒａｃａｎｔｈａ  Ｆｏｒｔｕｎｅａｎａ）の実抽出物、キウイ抽出物、キナ皮抽出物、キュウリ抽出物、グアノシン（ｇｕａｎｏｃｉｎｅ）、クチナシ抽出物、クマザサ抽出物、クジン抽出物、クルミ抽出物、グレープフルーツ抽出物、クレマチス抽出物、クロレラ抽出物、クワ抽出物、ゲンチアナ抽出物、紅茶抽出物、酵母抽出物、ゴボウ抽出物、コメヌカ発酵素抽出物、コメ胚芽油、ヒレハリソウ抽出物、コラーゲン、コケモモ抽出物、クチナシ抽出物、サイシン抽出物、ミシマサイコ属の抽出物、臍帯抽出物、サルビア抽出物、サポナリア抽出物、タケ抽出物、サンザシの実抽出物、サンショウの実抽出物、シイタケ抽出物、ジオウ抽出物、ムラサキ抽出物、シソ抽出物、リンデン抽出物、シモツケソウ抽出物、シャクヤク抽出物、ショウブ根抽出物、シラカバ抽出物、トクサ抽出物、ヘデラヘリックス（ツタ）抽出物、サンザシ抽出物、セイヨウニワトコ抽出物、セイヨウノコギリソウ抽出物、セイヨウハッカ抽出物、セージ抽出物、ゼニアオイ抽出物、センキュウの根抽出物、センブリ抽出物、ダイズ抽出物、ナツメ抽出物、タイム抽出物、茶抽出物、クローブ抽出物、イネ科のチガヤ（ｉｍｐｅｒａｔａ  ｃｙｒｉｌｌｏ）抽出物、ウンシュウミカン果皮抽出物、トウキ抽出物、キンセンカ抽出物、トウニン抽出物、ダイダイ果皮抽出物、ドクダミ（Ｈｏｕｔｔｕｙｎａ  ｃｏｒｄａｔａ）抽出物、トマト抽出物、納豆抽出物、朝鮮人参抽出物、緑茶抽出物（チャノキ（ｃａｍｅｌｌｉｅａ  ｓｉｎｅｓｉｓ））、ニンニク抽出物、ノバラ抽出物、ハイビスカス抽出物、バクモンドウ抽出物、ハス抽出物、パセリ抽出物、ハチミツ、マンサク抽出物、ヒカゲミズ抽出物、エンメイソウ抽出物、ビサボロール抽出物、ビワ抽出物、フキタンポポ抽出物、西洋フキ抽出物、ブクリョウ抽出物、ナギイカダ抽出物、ブドウ抽出物、プロポリス抽出物、ヘチマ抽出物、ベニバナ抽出物、ペパーミント抽出物、ボダイジュ抽出物、ボタン抽出物、ホップ抽出物、マツ抽出物、セイヨウトチノキ抽出物、ミズバショウ［Ｌｙｓｉｃｈｉｔｏｎ  ｃａｍｔｓｃｈａｔｃｅｓｅ］抽出物、ムクロジ抽出物、セイヨウヤマハッカ抽出物、モモ抽出物、ヤグルマギク抽出物、ユーカリ抽出物、ユキノシタ抽出物、シトロン抽出物、ジュズダマ抽出物、ヨモギ抽出物、ラベンダー抽出物、リンゴ抽出物、レタス抽出物、レモン抽出物、レンゲ抽出物、バラ抽出物、ローズマリー抽出物、ローマンカモミール抽出物、及びローヤルゼリー抽出物、並びにこれらの組み合わせ。
【０１１５】
本組成物における薬物として有用なヘルスケア有効成分の代表的な非限定例を以下に列挙する。１つ以上の薬物は、単独で、又は上記有効成分及び／若しくは上記パーソナルケア成分と組み合わせてのいずれかで、使用することができる。
【０１１６】
組成物は、抗寄生虫剤を含むことができる。この抗寄生虫剤は任意のタイプのものであってよい。抗寄生虫剤の例としては、ヘキサクロロベンゼン、カルバメート、天然に生じるピレスロイド、ペルメトリン、アレトリン、マラチオン、ピペロニルブトキサイド、及びこれらの組み合わせが挙げられるがこれらに限定されない。
【０１１７】
組成物は、殺菌剤とも称される抗菌剤を含んでよい。抗菌剤は、任意のタイプのものであってよい。抗菌剤の例としては、クレゾール及びレゾルシノールを含むフェノールが挙げられる。かかる組成物は、皮膚の感染症を処置するために使用され得る。非常によくみられる皮膚感染症の例はにきびであり、にきびは、ｐ．アクネス（ｐ．  ａｃｎｅｓ）、並びに黄色ブドウ球菌（Ｓｔａｐｈｙｌｏｃｏｃｕｓ  ａｕｒｕｓ）又はシュードモナス（Ｐｓｅｕｄｏｍｏｎａｓ）による皮脂腺の侵襲を伴う。有用な抗にきび有効成分の例としては、サリチル酸（ｏ−ヒドロキシ安息香酸）、サリチル酸誘導体、例えば５  −オクタノイルサリチル酸、レゾルシノール等の角質溶解薬；レチノイン酸及びその誘導体等のレチノイド（例えばシス体及びトランス体）；硫黄含有Ｄ体及びＬ体アミノ酸及びそれらの誘導体、並びにそれらの塩、特にそれらのＮ−アセチル誘導体（好ましい例はＮ−アセチル−Ｌ−システイン）；リポ酸；抗生物質及び抗菌剤（ベンゾイルパーオキサイド、オクトピロックス、テトラサイクリン、２，４，４’−トリクロロ−２’−ヒドロキシ−ジフェニルエーテル、３，４，４’−トリクロロバニリド（ｔｒｉｃｈｌｏｒｏｂａｎｉｌｉｄｅ）、アゼライン酸及びその誘導体、フェノキシエタノール、フェノキシプロパノール、フェノキシイソプロパノール、エチルアセテート、クリンダマイシン、及びメクロサイクリン等）；フラボノイド等のセボスタット（ｓｅｂｏｓｔａｔｓ）；並びに胆汁酸塩（シムノールサルフェート及びその誘導体、デオキシコレート及びコレート等）；パラクロロメタキシレノール；並びにこれらの組み合わせが挙げられる。
【０１１８】
０．２重量％、１．０重量％、及び１．３重量％の濃度のフェノールは、一般的に、それぞれ静菌性、殺菌性、及び殺真菌性がある。いくつかのフェノール誘導体はフェノール自体よりも効果が高く、これらの中で特に重要であるのは、ハロゲン化フェノール及びビス−フェノール、アルキル−置換フェノール、並びにレゾルシノールである。疎水性抗菌剤としては、トリクロサン、トリクロカーボン（ｔｒｉｃｌｏｃａｒｂｏｎ）、オイカリプトール、メントール、メチルサリチレート、チモール、及びこれらの組み合わせが挙げられる。
【０１１９】
組成物は、抗真菌剤を含んでいてもよい。抗真菌剤は任意のタイプのものであってよい。抗真菌剤の例としては、アゾール、ジアゾール、トリアゾール、ミコナゾール、フルコナゾール、ケトコナゾール、クロトリマゾール、イトラコナゾール、グリセオフルビン、シクロピロックス、アモロルフィン、テルビナフィン、アンホテリシンＢ、ヨウ化カリウム、フルシトシン（５ＦＣ）及びこれらの組み合わせが挙げられるが、これらに限定されない。米国特許第４，３５２，８０８号では、抗真菌活性及び抗菌活性を有する３−アラルキルオキシ−２，３−ジヒドロ−２−（１Ｈ−イミダゾリルメチル）ベンゾ［ｂ］チオフェン化合物が開示されており、参照により本明細書に組み込まれる。
【０１２０】
組成物は、ステロイド系抗炎症剤を含むことができる。ステロイド系抗炎症剤は任意のタイプのものであってよい。ステロイド性抗炎症薬の例としては、ヒドロコルチゾン、ヒドロキシルトリアムシノロン、αメチルデキサメタゾン、リン酸デキサメタゾン、ジプロピオン酸ベクロメタゾン、吉草酸クロベタゾール、デソニド、デスオキシメタゾン、酢酸デスオキシコルチコステロン、デキサメタゾン、ジクロリゾン、酢酸ジフロラゾン、吉草酸ジフルコルトロン、フルアドレノロン、フルクロロンアセトニド（ｆｌｕｃｌａｒｏｌｏｎｅ  ａｃｅｔｏｎｉｄｅ）、フルドロコルチゾン、ピバル酸フルメタゾン、フルオシノロンアセトニド、フルオシノニド、フルオコルチンブチルエステル（ｆｌｕｃｏｒｔｉｎｅ  ｂｕｔｙｌｅｓｔｅｒ）、フルオコルトロン、酢酸フルプレドニデン（フルプレドニリデン）、フルランドレノロン、ハルシノニド、酢酸ヒドロコルチゾン、酪酸ヒドロコルチゾン、メチルプレドニゾロン、トリアムシノロンアセトニド、コルチゾン、コルトドキソン、フルセトニド（ｆｌｕｃｅｔｏｎｉｄｅ）、フルドロコルチゾン、酢酸ジフルオロゾン（ｄｉｆｌｕｏｒｏｓｏｎｅ  ｄｉａｃｅｔａｔｅ）、フルラドレナロンアセトニド（ｆｌｕｒａｄｒｅｎａｌｏｎｅ  ａｃｅｔｏｎｉｄｅ）、メドリゾン、ａｍｃ、アムシナフィド、ベタメタゾン及びそのエステル残部、クロルプレドニゾン、酢酸クロルプレドニゾン、クロコルトロン（ｃｌｏｃｏｒｔｅｌｏｎｅ）、クレシノロン（ｃｌｅｓｃｉｎｏｌｏｎｅ）、ジクロリゾン、ジフルプレドナート、フルクロロニド、フルニソリド、フルオロメトロン（ｆｌｕｏｒｏｍｅｔｈａｌｏｎｅ）、フルペロロン、フルプレドニソロン、吉草酸ヒドロコルチゾン、ヒドロコルチゾンシクロペンチルプロプリオナート、ヒドロコルタマート、メプレドニゾン、パラメタゾン、プレドニゾロン、プレドニゾン、ジプロピオン酸ベクロメタゾン、ジプロピオン酸ベタメタゾン、トリアムシノロン等のコルチコステロイド、並びにこれらの混合物が挙げられるがこれらに限定されない。
【０１２１】
現在市販されている局所抗ヒスタミン経皮製剤として、１％及び２％のジフェンヒドラミン（Ｂｅｎａｄｒｙｌ（登録商標）及びＣａｌａｄｒｙｌ（登録商標））、５％のドキセピン（Ｚｏｎａｌｏｎ（登録商標））クリーム、マレイン酸ピリラミン（ｐｈｒｉｌａｍｉｎｅ）、クロルフェニラミン及びトリペレナミン、フェノチアジン、塩酸プロメタジン（Ｐｈｅｎｅｒｇａｎ（登録商標））、並びにマレイン酸ジメチンデンが挙げられる。これらの薬物、並びに追加の抗ヒスタミン剤を本発明の組成物に含めてもよい。加えて、いわゆる「天然」の抗炎症剤が、有用であり得る。例えば、キャンデリラワックス、αビサボロール、アロエベラ、マンジスタ（Ｍａｎｊｉｓｔｈａ）（アカネ属の植物、特にルビア・コルディフォリア（Ｒｕｂｉａ  ｃｏｒｄｉｆｏｌｉａ）の抽出物）、及びグガル（Ｇｕｇｇａｌ）（ミルラノキ属の植物、特にコミフォラ・ムクル（Ｃｏｍｍｉｐｈｏｒａ  ｍｕｋｕｌ）の抽出物）を本発明の組成物中の有効成分として用いてよい。
【０１２２】
組成物は、非ステロイド性抗炎症薬（ＮＳＡＩＤ）を含んでいてもよい。ＮＳＡＩＤは、任意のタイプのものであってよい。ＮＳＡＩＤの例としては、以下のＮＳＡＩＤカテゴリのものが挙げられるが、これらに限定されない：プロピオン酸誘導体（ｐｒｏｐｉｏｎｉｃ  ｔｏ  ａｃｉｄ  ｄｅｒｉｖａｔｉｖｅｓ）；酢酸誘導体；フェナム酸誘導体；ビフェニルカルボン酸誘導体；及びオキシカム。かかるＮＳＡＩＤは、米国特許第４，９８５，４５９号に記載されており、参照により本明細書に組み込まれる。更なる例としては、アセチルサリチル酸、イブプロフェン、ナプロキセン、ベノキサプロフェン、フルルビプロフェン、フェノプロフェン、フェンブフェン、ケトプロフェン、インドプロフェン、ピルプロフェン、カルプロフェン、オキサプロジン、プラノプロフェン、ミロプロフェン（ｍｎｉｒｏｐｒｏｆｅｎ）、チオキサプロフェン、スプロフェン、アルミノプロフェン、チアプロフェン酸、フルプロフェン、及びブクロキシ酸、並びにこれらの組み合わせが挙げられるがこれらに限定されない。
【０１２３】
組成物は、酸化防止剤／ラジカル捕捉剤を含んでいてもよい。酸化防止剤は、任意のタイプのものであってよい。酸化防止剤の例としては、アスコルビン酸（ビタミンＣ）及びその塩、トコフェノール（ビタミンＥ）及びその誘導体、例えばソルビン酸トコフェノール、他のトコフェノールのエステル、ブチル化ヒドロキシ安息香酸及びそれらの塩、６−ヒドロキシ−２，５，７，８−テトラメチルクロマン−２−カルボン酸（商品名Ｔｒｏｌｏｘ（登録商標）として市販）、没食子酸及びそのアルキルエステル、特に没食子酸プロピル、尿酸及びその塩並びにアルキルエステル、ソルビン酸及びその塩、脂肪酸のアスコルビルエステル、アミン（例えばＮ，Ｎ−ジエチルヒドロキシルアミン、アミノ−グアニジン）、スルフヒドリル化合物（例えばグルタチオン）が挙げられ、並びに、ジヒドロキシフマル酸及びその塩、及びＥＤＴＡ、ＢＨＴ等並びにこれらの組み合わせを用いてもよいが、これらに限定されない。
【０１２４】
組成物は、抗生物質を含んでよい。抗生物質は、任意のタイプのものであってよい。抗生物質の例としては、クロラムフェニコール、テトラサイクリン、合成及び半合成ペニシリリン、β−ラクタム、キノロン、フルオロキノロン、マクロライド抗生物質、ペプチド抗生物質、シクロスポリン、エリスロマイシン、クリンダマイシン、及びこれらの組み合わせが挙げられるが、これらに限定されない。
【０１２５】
組成物は局所麻酔薬を含んでいてもよい。局所麻酔薬は任意のタイプのものであってよい。局所麻酔薬の例としては、ベンゾカイン、リドカイン、ブピバカイン、クロロプロカイン（ｃｈｌｏｒｐｒｏｃａｉｎｅ）、ジブカイン、エチドカイン、メピバカイン、テトラカイン、ジクロニン、ヘキシルカイン、プロカイン、コカイン、ケタミン、プラモキシン、フェノール、薬学上許容されるその塩、及びこれらの組み合わせが挙げられるが、これらに限定されない。
【０１２６】
組成物は、抗ウイルス剤を含んでいてもよい。抗ウイルス剤は任意のタイプのものであってよい。抗ウイルス剤の例としては、ウイルスのレセプターへの付着、ウイルスの細胞内への移行、ウイルスの複製、又は細胞からのウイルスの放出を阻害又は低減する、タンパク質、ポリペプチド、ペプチド、融合タンパク質抗体、核酸分子、有機分子、無機分子、及び小分子が挙げられるが、これらに限定されない。特に、抗ウイルス剤としては、ヌクレオシド類縁体（例えば、ジドブジン、アシクロビル、アシクロビルのプロドラッグ、ファムシクロビル、ガンシクロビル（ｇａｎｇｃｙｃｌｏｖｉｒ）、ビダラビン、イドクスウリジン、トリフルリジン、及びリバビリン）、ｎ−ドコサノール（ｄｏｃｏｓａｎｏｌｌ）、ホスカルネット、アマンタジン、リマンタジン、サキナビル、インジナビル、リトナビル、イドクスウリジン、α−インターフェロン及び他のインターフェロン、ＡＺＴ、並びにこれらの組み合わせが挙げられるが、これらに限定されない。
【０１２７】
組成物は、抗がん剤を含んでいてもよい。抗がん剤は、任意のタイプのものであってよい。抗がん剤の例としては、アシビシン；アクラルビシン；アコダゾールヒドロクロリド；アクロニン；アドゼレシン；アルデスロイキン；アルトレタミン；アンボマイシン；酢酸アメタントロン；アミノグルテチミド；アムサクリン；アナストロゾール；アントラマイシン；アスパラギナーゼ；アスペルリン；アザシチジン；アゼテパ；アゾトマイシン；バチマスタット；ベンゾデパ；ビカルタミド；ビサントレン塩酸塩；ビスナフィドジメシラート；ビスホスホネート（例えば、パミドロン酸（アレディア（Ａｒｅｄｒｉａ））、クロドロン酸ナトリウム（ボネフォス（Ｂｏｎｅｆｏｓ））、ゾレドロン酸（ゾメタ）、アレンドロネート（フォサマックス）、ナトリウム、イバンドロネート、シマドロネート、リセドロネート（Ｒｉｓｅｄｒｏｍａｔｅ）、及びチルドロメート（ｔｉｌｕｄｒｏｍａｔｅ））；ビセレシン；硫酸ブレオマイシン；ブレキナルナトリウム；ブロピリミン；ブスルファン；カクチノマイシン；カルステロン；カラセミド；カルベチマー；カルボプラチン；カルムスチン；カルビシンヒドロクロリド；カルゼレシン；セデフィンゴール；クロラムブシル；シロレマイシン；シスプラチン；クラドリビン；クリスナトールメシラート；シクロホスファミド；シタラビン；ダカルバジン；ダクチノマイシン；ダウノルビシン塩酸塩；デシタビン；デキソルマプラチン；デアザグアニン；メシル酸デザグアニン；ジアジクオン；ドセタキセル；ドキソルビシン；ドキソルビシン塩酸塩；ドロロキシフェン；クエン酸ドロロキシフェン；ドロモスタノロンプロピオナート；ズアゾマイシン；エダトレキサート；塩酸エフロルニチン；エルサミトルシン；エンロプラチン；エンプロマート；エピプロピジン；エピルビシン塩酸塩；エルブロゾール；エソルビシン塩酸塩；エストラムスチン；エストラムスチンホスファートナトリウム；エタニダゾール；エトポシド；リン酸エトポシド；エトプリン；塩酸ファドロゾール；ファザラビン；フェンレチニド；フロクスウリジン；リン酸フルダラビン；フルオロウラシル；フルロシタビン；ホスキドン；ホストリエシンナトリウム；ゲムシタビン；塩酸ゲムシタビン；ヒドロキシ尿素；塩酸イダルビシン；イフォスファミド；イルモホシン；インターロイキン−２（組み換えインターロイキン２、又はｒＩＬ２を含む）、インターフェロンα−２ａ；インターフェロンα−２ｂ；インターフェロンα−ｎ１；インターフェロンα−ｎ３；インターフェロンβＩ  ａ；インターフェロンγＩ  ｂ；イプロプラチン；イリノテカン塩酸塩；ランレオチド酢酸塩；レトロゾール；酢酸ロイプロリド；リアロゾール塩酸塩；ロメトレキソールナトリウム（ｌｏｍｅｔｒｅｘｏｌ  ｓｏｄｉｕｍ）；ロムスチン；ロソキサントロン塩酸塩；マソプロコール；マイタンシン；メクロレタミン塩酸塩；抗ＣＤ２抗体酢酸メゲストロール；酢酸メレンゲストロール；メルファラン；メノガリル；メルカプトプリン；メトトレキサート；メトトレキサートナトリウム；メトプリン；メツレデパ；ミチンドミド；ミトカルシン；ミトクロミン；ミトギリン；ミトマルシン（ｍｉｔｏｍａｌｃｉｎ）；マイトマイシン；ミトスパー（ｍｉｔｏｓｐｅｒ）；ミトタン；塩酸ミトキサントロン；ミコフェノール酸；ノコダゾール；ノガラマイシン；オルマプラチン；オキシスラン（ｏｘｉｓｕｒａｎ）；パクリタキセル；ペガスパルガセ；ペリオマイシン；ペンタムスチン；硫酸ペプロマイシン；ペルホスファミド；ピポブロマン；ピポスルファン；ピロキサントロン塩酸塩；プリカマイシン；プロメスタン；ポルフィマーナトリウム；ポルフィロマイシン；プレドニムスチン；プロカルバジン塩酸塩；ピューロマイシン；ピューロマイシン塩酸塩；ピラゾフリン；リボプリン；ログレチミド；サフィンゴール；サフィンゴール塩酸塩；セムスチン；シムトラゼン；スパルホサートナトリウム；スパルソマイシン；スピロゲルマニウム塩酸塩；スピロムスチン；スピロプラチン；ストレプトニグリン；ストレプトゾシン；スロフェヌル；タリソマイシン；テコガランナトリウム（ｔｅｃｏｇａｌａｎ  ｓｏｄｉｕｍ）；テガフール；テロキサントロン塩酸塩；テモポルフィン；テニポシド；テロキシロン；テストラクトン；チアミプリン；チオグアニン；チオテパ；チアゾフリン；チラパザミン；クエン酸トレミフェン；酢酸トレストロン；トリシリビンリン酸；トリメトレキサート；グルクロン酸トリメトレキサート；トリプトレリン；ツブロゾール塩酸塩；ウラシルマスタード；ウレデパ；バプレオチド；ベルテポルフィン；ビンブラスチン硫酸塩；ビンクリスチン硫酸塩；ビンデシン；ビンデシン硫酸塩；ビネピジン硫酸塩；ビングリシネート硫酸塩；ビンロイロシン硫酸塩；ビノレルビン酒石酸塩；ビンロシジン硫酸塩；ビンゾリジン硫酸塩；ボロゾール；ゼニプラチン；ジノスタチン；ゾルビシン塩酸塩；及びこれらの組み合わせ、が挙げられるが、これらに限定されない。
【０１２８】
他の抗がん剤としては、２０−エピ−１，２５ジヒドロキシビタミンＤ３；５−エチニルウラシル；アビラテロン；アクラルビシン；アシルフルベン；アデシペノール；アドゼレシン；アルデスロイキン；ＡＬＬ−ＴＫアンタゴニスト；アルトレタミン；アムバムスチン（ａｍｂａｍｕｓｔｉｎｅ）；アミドクス（ａｍｉｄｏｘ）；アミホスチン；アミノレブリン酸；アムルビシン；アムサクリン；アナグレリド；アナストロゾール；アンドログラホリド；血管新生抑制剤；アンタゴニストＤ；アンタゴニストＧ；アントラレリクス；抗背側化形態形成タンパク質−１（ａｎｔｉ−ｄｏｒｓａｌｉｚｉｎｇ  ｍｏｒｐｈｏｇｅｎｅｔｉｃ  ｐｒｏｔｅｉｎ−１）；抗アンドロゲン、前立腺癌；抗エストロゲン；抗新生物薬；アンチセンスオリゴヌクレオチド；アフィジコリングリシナート；アポトーシス遺伝子モジュレータ；アポトーシスレギュレータ；アプリン酸；ａｒａ−ＣＤＰ−ＤＬ−ＰＴＢＡ；アルギニンデアミナーゼ；アシュラクリン（ａｓｕｌａｃｒｉｎｅ）；アタメスタン；アトリムスチン；アキシナスタチン１；アキシナスタチン２；アキシナスタチン３；アザセトロン；アザトキシン；アザチロシン；バッカチンＩＩＩ誘導体；バラノール；バチマスタット；ＢＣＲ／ＡＢＬアンタゴニスト；ベンゾクロリン；ベンゾイルスタウロスポリン；βラクタム誘導体；βアレチン；βクラマイシンＢ；ベツリン酸；ｂＦＧＦ阻害剤；ビカルタミド；ビサントレン；ビスアジリジニルスペルミン（ｂｉｓａｚｉｒｉｄｉｎｙｌｓｐｅｒｍｉｎｅ）；ビスナフィド；ビストラテンＡ；ビセレシン；ブレフレート；ブロピリミン；ブドチタン；ブチオニンスルホキシミン；カルシポトリオール；カルホスチンＣ；カンプトテシン誘導体；カナリア痘ＩＬ−２；カペシタビン；カルボキサミドアミノトリアゾール；カルボキシアミドトリアゾール；ＣａＲｅｓｔ  Ｍ３；ＣＡＲＮ  ７００；軟骨由来の阻害剤；カルゼレシン；カゼインキナーゼ阻害剤（ＩＣＯＳ）；カスタノスペルミン；セクロピンＢ；セトロレリックス；ｃｈｌｏｒｌｎｓ；クロロキノキサリンスルホンアミド；シカプロスト；シスポルフィリン；クラドリビン；クロミフェン類似体；クロトリマゾールコリスマイシンＡ；コリスマイシンＢ；コンブレタスタチンＡ４；コンブレタスタチン類似体；コナゲニン；クランベスシジン８１６；クリスナトール；クリプトフィシン８；クリプトフィシンＡ誘導体；クラシンＡ；シクロペンタンスラキノン；シクロプラタム；シペマイシン；シタラビンオクホスファート；細胞溶解因子；サイトスタチン；ダシリキシマブ；デシタビン；デヒドロジデムニンＢ；デスロレリン；デキサメタゾン；デキシフォスファミド；デクスラゾキサン；デクスベラパミル；ジアジクオン；ダイデムニンＢ；ジドックス；ジエチルノルスペルミン；ジヒドロ−５−アザシチジン；ジヒドロタキソール，９−；ジオキサマイシン；ジフェニルスピロムスチン；ドセタキセル；ドコサノール；ドラセトロン；ドキシフルリジン；ドロロキシフェン；ドロナビノール；デュオカルマイシンＳＡ；エブセレン；エコムスチン；エデルホシン；エドレコロマブ；エフロルニチン；エレメン；エミテフル；エピルビシン；エポチロン；エポチロンＢ；エ���リステリド；エストラムスチン類似体；エストロゲンアゴニスト；エストロゲンアンタゴニスト；エタニダゾール；リン酸エトポシド；アロマターゼ；ファドロゾール；ファザラビン；フェンレチニド；フィルグラスチム；フィナステリド；フラボピリドール；フレゼラスチン；フルアステロン；フルダラビン；フルオロダウノルニシン塩酸塩；ホルフェニメックス；ホルメスタン；ホストリエシン；ホテムスチン；ガドリニウムテキサフィリン；硝酸ガリウム；ガロシタビン（ｇａｌｏｃｉｔａｂｉｎｅ）；ガニレリクス；ゼラチナーゼ阻害剤；ゲムシタビン；グルタチオン阻害剤；ＨＭＧ  ＣｏＡレダクターゼ阻害剤（例えば、アトルバスタチン、セリバスタチン、フルバスタチン、レスコール、ルピトール（ｌｕｐｉｔｏｒ）、ロバスタチン、ロスバスタチン、及びシンバスタチン）；ヘプスルファム；ヘレグリン；ヘキサメチレンビスアセトアミド；ヒペリシン；イバンドロン酸；イダルビシン；イドキシフェン；イドラマントン；イルモホシン；イロマスタット；イミダゾアクリドン；イミキモド；免疫賦活剤ペプチド；インスリン様成長因子１受容体阻害剤インターフェロンアゴニスト；インターフェロン；インターロイキン；イオベングアン；イオドドキソルビシン；イポメアノール，４−；イロプラクト（ｉｒｏｐｌａｃｔ）；イルソグラジン；イソベンガゾール（ｉｓｏｂｅｎｇａｚｏｌｅ）；イソホモハリコンドリンＢ；イタセトロン；ジャスプラキノリド；カハラリドＦ；ラメラリン−Ｎ三酢酸；ランレオチド；レイナマイシン；レノグラスチム；レンチナン硫酸；レプトルスタチン；レトロゾール；白血病阻害因子；白血球αインターフェロン；ロイプロリド＋エストロゲン＋プロゲステロン；リュープロレイン；レバミソール；ＬＦＡ−３ＴＩＰ（Ｂｉｏｇｅｎ，Ｃａｍｂｒｉｄｇｅ，Ｍａｓｓ．；米国特許第６，１６２，４３２号，参照により本明細書に援用）；リアロゾール；直鎖状ポリアミン類似体；親油性二糖ペプチド；親油性白金化合物；リソクリナミド７；ロバプラチン；ロンブリシン；ロメトレキソール；ロニダミン；ロソキサントロン；ロバスタチン；ロキソリビン；ルートテカン；ルテチウムテキサフィリン；リソフィリン；溶菌ペプチド；マイタンシン（ｍａｉｔａｎｓｉｎｅ）；マンノスタチンＡ；マリマスタット；マソプロコール；マスピン；マトリライシン阻害剤；マトリックスメタロプロテイナーゼ阻害剤；メノガリル；メルバロン；メテレリン；メチオニナーゼ；メトクロプラミド；ＭＷＦ阻害剤；ミフェプリストン；ミルテフォシン；ミリモスチム；ミスマッチ二本鎖ＲＮＡ；ミトグアゾン；ミトラクトール；マイトマイシン類似体；ミトナフィド；マイトトキシン線維芽細胞増殖因子−サポリンミトキサントロン；モファロテン；モルグラモスチム；モノクローナル抗体、ヒト絨毛性ゴナドトロピン；モノホスホリル−脂質Ａ＋ミオバクテリウム細胞壁ｓｋ；モピダモール；多剤耐性遺伝子阻害剤；複数の腫瘍抑制因子−１をベースとした治療；マスタード抗がん剤（ｍｕｓｔａｒｄ  ａｎｔｉｃａｎｃｅｒ  ａｇｅｎｔ）；ミカペルオキシドＢ；マイコバクテリア細胞壁抽出物；ミリアポロン；Ｎ−アセチルジナリン；Ｎ−置換ベンズアミドナファレリン；ナグレス��ップ（ｎａｇｒｅｓｔｉｐ）；ナロキソン＋ペンタゾシン；ナパビン（ｎａｐａｖｉｎ）；ナフテルピン；ナルトグラスチム；ネダプラチン；ネモルビシン；ネリドロン酸；中性エンドペプチダーゼ；ニルタミド；ニサマイシン；酸化窒素モジュレータ；ニトロキシド酸化防止剤；ニトルリン（ｎｉｔｒｕｌｌｙｎ）；Ｏ６−ベンジルグアニン；オクトレオチド；オキセノン；オリゴヌクレオチド；オナプリストン；オンダンセトロン；オンダンセトロン；オラシン；経口用サイトカイン誘導剤；オルマプラチン；オサテロン；オキサリプラチン；オキサウノマイシン；パクリタキセル；パクリタキセル類似体；パクリタキセル誘導体；パラウアミン；パルミトイルリゾキシン；パミドロン酸；パナキシトリオール；パノミフェン；パラバクチン；パゼリプチン；ペガスパルガセ；ペルデシン；ポリ硫酸ペントサンナトリウム；ペントスタチン；ペントロゾール；ペルフルブロン；ペルホスファミド；ペリリルアルコール；フェナジノマイシン；フェニルアセテート；ホスファターゼ阻害剤；ピシバニール；ピロカルピン塩酸塩；ピラルビシン；ピリトレキシム；プラセチンＡ；プラセチンＢ；プラスミノーゲン活性化因子阻害剤；白金錯体；白金化合物；白金トリアミン錯体；ポルフィマーナトリウム；ポルフィロマイシン；プレドニゾン；プロピルビスアクリドン；プロスタグランジンＪ２；プロテアソーム阻害剤；プロテインＡベースの免疫モジュレータ；プロテインキナーゼＣ阻害剤；プロテインキナーゼＣ阻害剤、微細藻類；プロテインチロシンホスファターゼ阻害剤；プリンヌクレオシドホスホリラーゼ阻害剤；プルプリン；ピラゾロアクリジン；ピリドキシル化ヘモグロビンポリオキシエチレン複合体；ｒａｆアンタゴニスト；ラルチトレキセド；ラモセトロン；ｒａｓファルネシルプロテイントランスフェラーゼ阻害剤；ｒａｓ阻害剤；ｒａｓ−ＧＡＰ抑制剤；脱メチル化レテリプチン（ｒｅｔｅｌｌｉｐｔｉｎｅ  ｄｅｍｅｔｈｙｌａｔｅｄ）；レニウムＲｅ１８６エチドロネート；リゾキシン；リボザイム；ＲＩＩレチンアミド；ログレチミド；ロヒツキン；ロムルチド；ロキニメクス；ルビギノンＢ１；ルボキシル；サフィンゴール；サイントピン；ＳａｒＣＮＵ；サルコフィトールＡ；サルグラモスチム；Ｓｄｉ１模倣物；セムスチン；老化由来の阻害剤１（ｓｅｎｅｓｃｅｎｃｅ  ｄｅｒｉｖｅｄ  ｉｎｈｉｂｉｔｏｒ  １）；センスオリゴヌクレオチド；シグナル伝達阻害剤；シグナル伝達モジュレータ；単鎖抗原結合タンパク質シゾフィラン；ソブゾキサン；ボロカプテイトナトリウム；フェニル酢酸ナトリウム；ソルベロール（ｓｏｌｖｅｒｏｌ）；ソマトメジン結合タンパク質；ソネルミン；スパルホス酸；スピカマイシンＤ；スピロムスチン；スプレノペンチン；スポンジスタチン１；スクアラミン；幹細胞阻害剤；幹細胞分裂阻害剤スティピアミド（ｓｔｉｐｉａｍｉｄｅ）；ストロメライシン阻害剤；スルフィノシン；超活性血管活性腸ペプチド拮抗剤；スラディスタ（ｓｕｒａｄｉｓｔａ）；スラミン；スウェインソニン；合成グリコサミノグリカン；タリムスチン；５−フルオロウラシル；ロイコボリン；タモキシフェンメチオジド；タウロムスチン；タザロテン；テコガランナトリウム（ｔｅｃｏｇａｌａｎ  ｓｏｄｉｕｍ）；テガフール；テルラピリリウム；テロメラーゼ阻害剤；テモポルフィン；テモゾロミド；テニポシド；テトラクロロデカオキシド；テトラゾミン；タリブラスチン；チオコラリン；トロンボポエチン；トロンボポエチン摸倣物；サイマルファシン；チモポイエチン受容体アゴニスト；チモトリナン；甲状腺刺激ホルモン；エチルエチオプルプリンすず；チラパザミン；チタノセンビクロリド（ｔｉｔａｎｏｃｅｎｅ  ｂｉｃｈｌｏｒｉｄｅ）；トプセンチン；トレミフェン；多能性幹細胞因子翻訳阻害剤；トレチノイン；トリアセチルウリジン；トリシリビン；トリメトレキサート；トリプトレリン；トロピセトロン；ツロステリド；チロシンキナーゼ阻害剤；チルホスチン；ＵＢＣ阻害剤；ウベニメックス；尿生殖洞由来の増殖抑制因子ウロキナーゼ受容体アンタゴニスト；バプレオチド；バリオリンＢ；ベクターシステム、赤血球遺伝子療法；サリドマイド；ベラレソール；ベラミン；ベルジン；ベルテポルフィン；ビノレルビン；ビンキサルチン；ボロゾール；ザノテロン；ゼニプラチン；ジラスコルブ；ジノスタチンスチマラマー、及びこれらの組み合わせ、が挙げられるが、これらに限定されない。
【０１２９】
有効成分の追加の例としては、鎮痛剤及び血圧降下剤が挙げられる。鎮痛剤は、当該技術分野で既知であり、口語的には痛み止めと称される。鎮痛剤は、任意の既知の鎮痛剤から選択されてよく、それらの具体例としては、パラセタモール（アセトアミノフェン）、モルヒネ、コデイン、ヘロイン（ｈｅｒｏｉｎｅ）、メタドン、テバイン、オルピアリン（ｏｒｐｉａｒｉｎｅ）、ブプレノルフィン、モルフィナン、ベンゾモルファン、アセトアミノフェン、ブトルファノール、ジフルニサル、フェノプロフェン、フェンタニル、クエン酸フェンタニル、ヒドロコドン、アスピリン、サリチル酸ナトリウム、イブプロフェン、オキシモルホン、ペンタキシシン（ｐｅｎｔａｘｉｃｉｎｅ）、ナプロキセン、ナルブフィン、メフェナム酸、メペリジン、及びジヒドロエルゴタミン、非ステロイド系抗炎症剤、サリチル酸等、及びオピオイド剤、モルヒネ及びオキシコドン等、が挙げられる。血圧降下剤は、当該技術分野において、高血圧、すなわち、高血圧を処置又は低減することが既知である。血圧降下剤は、任意の公知の血圧降下剤から選択されてよく、それらの具体例としては、利尿薬、アドレナリン受容体遮断薬（例えば、β遮断薬）、ベンゾジアゼピン、カルシウムチャンネル遮断薬、レニン阻害薬等が挙げられる。
【０１３０】
典型的な麻薬拮抗薬はナロキソン（ｈａｌｏｘｏｎｅ）である。例示的な鎮咳剤としては、ジフェンヒドラミン、グアイフェネシン、ヒドロモルフォン、エフェドリン、フェニルプロパノールアミン、テオフィリン、コデイン、ノスカピン、レボプロポキシフェン、カルベタペンタン、クロルフェジアノール（ｃｈｌｏｒｐｅｈｎｄｉａｎｏｌ）、及びベンゾナテートが挙げられるが、これらに限定されない。
【０１３１】
鎮静剤のうち利用可能であるのは、抱水クロラール、ブタバルビタール、アルプラゾラム、アモバルビタール、クロルジアゼポキシド、ジアゼパム、メホバルビタール、セコバルビタール、ジフェンヒドラミン、エチナメート、フルラゼパム、ハラゼパム、ハロペリドール、プロクロルペラジン、オキサゼパム、及びタルブタールであるが、これらに限定されない。
【０１３２】
心臓用薬物の例は、キニジン、プロプラノロール、ニフェジピン、プロカイン、ドブタミン、ジギトキシン、フェニロイン（ｐｈｅｎｙｌｏｉｎ）、ニトロプルシドナトリウム、ニトログリセリン、ベラパミルＨＣｌ、ジゴキシン、ニカルジピンＨＣｌ、及び二硝酸イソソルビドであるが、これらに限定されない。
【０１３３】
制吐剤は、チエチルペラジン、メトクロプラミド、シクリジン、メクリジン、プロクロルペラジン、コハク酸ドキシルアミン、プロメタジン、トリフルプロマジン、及びヒドロキシジンにより例示されるが、これらに限定されない。
【０１３４】
典型的なドーパミンレセプターアゴニストは、メシル酸ブロモクリプチンである。例示的なアミノ酸、ペプチド、及びタンパク質ホルモンとしては、チロキシン、成長ホルモン（ＧＨ）、間質細胞刺激ホルモン（ＩＣＳＨ）、卵胞刺激ホルモン（ＦＳＨ）、甲状腺刺激ホルモン（ＴＳＨ）、副腎皮質刺激ホルモン（ＡＣＴＨ）、ロイプロリド酢酸等のゴナドトロピン放出ホルモン（ＧｎＲＨ）、バソプレッシン、及びこれらの活性分解産物が挙げられるが、これらに限定されない。いくつかの産物は、十分に高い分子量を有し、角質層又は粘膜を介する吸収が難しい場合がある。したがって、本発明は、皮膚を通過できる分子量及び立体形状を有するホルモンのみに適用できる。
【０１３５】
使用できる女性ホルモンとしては、エストラジオール、ジエチルスチルベストロール、複合エストロゲン、エストロン、ノルエチンドロン、メドロキシプロゲステロン、プロゲステロン、及びノルゲストレルが挙げられるが、これらに限定されない。
【０１３６】
使用できる典型的な男性ホルモンは、テストステロン、メチルテストステロン、及びフルオキシメステロンを代表的なものとすることができるが、これらに限定されない。
【０１３７】
組成物は、（Ｃ）パーソナルケア成分を様々な量で含み得る。当業者であれば、所望又は必要に応じて適切な量を容易に選択することができる。更に、当業者であれば、所望の用途／機能を考慮して、組成物を調製するための（Ｃ）パーソナルケア成分の少なくとも１つを選択する方法を、容易に理解することができる。例えば、組成物の成分の相対量は、組成物の所望の特性及びその最終用途と共に、様々な任意選択による成分の有無による。当業者であれば、これらの成分の相対量を最適化する方法を、容易に理解することができる。
【０１３８】
組成物は充填剤を更に含んでいてもよい。充填剤の例としては、タルク、雲母、カオリン、酸化亜鉛又はチタン、炭酸カルシウム又はマグネシウム、シリカ、シリカシリレート、二酸化チタン、ガラス又はセラミックビーズ、ポリメチルメタクリレートビーズ、窒化ホウ素、ケイ酸アルミニウム、オクテニルコハク酸デンプンアルミニウム、ベントナイト、ケイ酸マグネシウムアルミニウム、ナイロン、シルクパウダー、８〜２２個の炭素原子を有するカルボン酸から誘導される金属石鹸、非発泡合成ポリマーパウダー、架橋されていても架橋されていなくてもよい天然有機化合物（例えば、穀物デンプン等）由来の発泡パウダー及びパウダー、コポリマーミクロスフェア、ポリトラップ（ｐｏｌｙｔｒａｐ）、シリコーン樹脂マイクロビーズ、並びにこれらの混合物が挙げられる。充填剤は、親和性又は相溶性を調節するために残りの成分で表面処理されてもよい。
【０１３９】
組成物の調製方法もまた、開示される。本方法は、（Ａ）シリコーン樹脂−直鎖状ポリマーと、（Ｂ）キャリア流体と、組成物がパーソナルケア組成物である場合には、（Ｃ）パーソナルケア成分と、を組み合わせることを含む。
【０１４０】
成分は、任意選択的に剪断又は混合下で、任意の順序で組み合わせてよい。反応条件に関係する、例えば温度、圧力等のパラメータを制御することもできる。しかしながら、方法は、周囲条件で実施することができる。
【０１４１】
組成物がゲルペーストの形態である実施形態では、ゲルペーストは、スピンドルＴ−Ｄ（２０．４ｍｍクロスバー）を２．５ｒｐｍで使用しＨｅｌｉｐａｔｈアタッチメントを有するＢｒｏｏｋｆｉｅｌｄ  ＤＶＩＩ＋粘度計で測定したとき、少なくとも５０Ｐａ・ｓ、代替的に少なくとも１００Ｐａ・ｓ、又は代替的に少なくとも２００Ｐａ・ｓの粘度を有し得る。
【０１４２】
特定の実施形態では、組成物はエマルジョンである。このエマルジョンは、（Ａ）シリコーン樹脂−直鎖状ポリマー又はそれを含む組成物を、任意選択的に剪断下で、及び任意選択的に乳化剤の存在下で、水と組み合わせることにより形成され得る。ある種の実施形態では、エマルジョン中には乳化剤が存在し、エマルジョンは、剪断によって形成される。本明細書で用いるとき、「剪断する」は、均質化、ソナレーティング（ｓｏｎａｌａｔｉｎｇ）、又は剪断混合として当該技術分野において既知の任意の他の混合プロセスで得られるプロセス等の任意の剪断混合プロセスを指す。
【０１４３】
剪断は、高粘度材料の混合をもたらす、当該技術分野において既知の任意の方法によって達成することができる。混合は、バッチ法、半連続法又は連続法のいずれかとして行うことができる。混合は、例えば、中／低剪断によるバッチ混合装置を用いて行うことができ、その装置としては、チェンジカンミキサー（ｃｈａｎｇｅ−ｃａｎ  ｍｉｘｅｒｓ）、ダブルプラネタリーミキサー、円錐ねじミキサー、リボンミキサー、ダブルアーム又はシグマブレードミキサーが挙げられる。連続ミキサー／混錬機の例示的な例としては、押出機であって、単軸、２軸及び多軸押出機、共回転押出機、２軸逆回転押出機、二段押出機、ツインローター連続ミキサー、動的ミキサー若しくは静的ミキサー、又はこれら装置の組み合わせが挙げられる。
【０１４４】
使用する水の量は、様々であり得る。ある種の実施形態では、水は、エマルジョン中で連続相を形成する。他の実施形態では、水はエマルジョン中で不連続相を形成する。
【０１４５】
乳化剤は、エマルジョンを安定化させることができるイオン性、ノニオン性、又は双性イオン性界面活性剤から選択されてもよい。乳化剤は、アニオン界面活性剤、カチオン界面活性剤、ノニオン性界面活性剤、両性界面活性剤又はこれらの組み合わせであってもよい。
【０１４６】
好適なアニオン性界面活性剤の代表的な例としては、高級脂肪酸のアルカリ金属石鹸、ナトリウムドデシルベンゼンスルホネート、長鎖脂肪族アルコールサルフェート、オレフィンサルフェート及びオレフィンスルホネート、硫酸モノグリセリド、硫酸エステル、スルホン化エトキシル化アルコール、スルホスクシネート、アルカンスルホネート等のアルキルアリールスルホネート、リン酸エステル、アルキルイセチオネート、アルキルタウレート、及びアルキルサルコシネートがある。好適なカチオン性界面活性剤の代表的な例としては、アルキルアミン塩、四級アンモニウム塩、スルホニウム塩、及びホスホニウム塩が挙げられる。好適なノニオン性界面活性剤の代表的な例としては、エチレンオキサイドと長鎖脂肪族アルコール又は脂肪酸（例えばＣ１２−１６アルコール）との縮合物、エチレンオキサイドとアミン又はアミドとの縮合物、エチレンとプロピレンオキサイドとの縮合生成物、グリセロール、スクロース、ソルビトールのエステル、脂肪酸アルキロールアミド、スクロースエステル、フルオロ界面活性剤、及び脂肪族アミンオキサイドが挙げられる。好適な両性界面活性剤の代表的な例としては、イミダゾリン化合物、アルキルアミノ酸塩、及びベタインが挙げられる。
【０１４７】
パーソナルケア組成物による処置方法も提供される。例えば、組成物がスキンケア組成物である場合、方法は、組成物を対象の皮膚に投与する工程、を含む。
【０１４８】
処置方法は、組成物を基質に適用すること、を含む。一般的に、基質は、哺乳動物、特にヒトの一部分を含む。好適な基質の一具体例は皮膚である。しかしながら、基質が皮膚又は真皮である必要はない。例えば、パーソナルケア組成物が、ヘアケア組成物を含む場合、基質は、典型的には、皮膚の毛包から成長するタンパク質長繊維である毛髪である。代替的に、パーソナルケア組成物がネイルケア組成物である場合、基質は、ケラチンを含む爪である。代替的に更に、パーソナルケア組成物が歯ケア組成物である場合、基質は少なくとも１本の歯である。
【０１４９】
適用する工程は、基質と組成物とを接触させる任意の技術により行うことができる。例えば、組成物は、ユーザ（例えば、基質をもたらすユーザ、又は別のユーザ）により簡便に基質に適用され得るものである。この組成物は、任意選択的に組成物を塗り拡げる又は適用する力を加えながら、基質上に分散、塗り拡げ、及び／又は適用することができる。ある種の実施形態では、基質は包帯又は同様の物品の形態もとり得る。したがって、かかる物品は、組成物を担持し、接触時にユーザの皮膚に送達することができる。代替的に、包帯又は他の物品を少なくとも部分的に組成物で被覆することができ、組成物を含む包帯又は他の物品を基質、例えばユーザの皮膚に適用し、任意選択的に接着させることによって、基質を組成物と接触させることができる。別の例として、パーソナルケア組成物が歯ケア組成物を含む場合には、ブラシにより適用することで、歯ケア組成物を基質（例えば、歯）と接触させることができる。
【０１５０】
より具体的には、組成物がヘアケア組成物を含む場合には、ヘアケア組成物は、従来の方法で毛髪に対し使用され得る。有効量の、毛髪の洗浄又はコンディショニング用組成物を毛髪に適用する。かかる有効量は、一般には、１ｇ〜５０ｇ、代替的に１ｇ〜２０ｇの範囲である。毛髪への適用は、典型的には、毛髪の大部分又は全てを組成物と接触させるように、毛髪を介して組成物を作用させる工程、を含む。これらの工程は、所望の利点を達成するために、所望に応じて何度でも繰り返すことができる。
【０１５１】
毛髪にヘアケア組成物を使用することから得られる利点には、以下の利点のうちの１つ以上が含まれる：保色、着色プロセスでの改良、ヘアコンディショニング、軟化、もつれた髪のほぐし易さ、シリコーン付着、静電防止、縮れ防止、滑らかさ、光沢、強度増加、粘度、触感、濡れた髪のくしどおり、乾いた髪のくしどおり、縮毛矯正、熱保護、スタイリング、又はカール保持。
【０１５２】
組成物がスキンケア組成物を含む場合には、スキンケア組成物は、従来の方法で皮膚上に使用され得る。その目的のための有効量の組成物を皮膚に塗布する。このような有効量は、一般に、１〜３ｍｇ／ｃｍ２の範囲である。皮膚への適用には、典型的には、組成物を皮膚上に、又は皮膚内に作用させることが、含まれる。皮膚に塗布するためのこの方法は、皮膚に有効量の組成物を接触させる工程と、次に組成物を皮膚に擦り込む工程と、を含む。これらの工程は、所望の利点を達成するために、所望に応じて何度でも繰り返すことができる。
【０１５３】
皮膚上にスキンケア組成物を使用することにより得られる利点には、次の利点のうちの１つ以上が含まれる：様々な処方の安定化（ｏ／ｗ、ｗ／ｏ、無水）、乳化剤としての有用性、疎水性の程度、有機物とのなじみ、持続性／耐久性、洗い流し耐性、皮脂との相互作用、顔料の性能発揮、ｐＨ安定化、皮膚軟化、しなやかさ、保湿、肌ざわり、長期安定化、もちがよくなる、色均一性の長期安定化、発色強化、泡形成、光学効果（ソフトフォーカス）、及び有効成分の安定化。
【０１５４】
シリコーン樹脂−直鎖状コポリマーを調製する方法も開示される。
【０１５５】
第１の実施形態では、本方法は、少なくとも１つのケイ素結合ヒドロキシル基を有する直鎖状オルガノポリシロキサンとアセトキシシランとを反応させて、アセトキシシリル化オルガノポリシロキサンを得ることを含む。ケイ素結合ヒドロキシル基は、典型的には、直鎖状オルガノポリシロキサン中の末端である。しかしながら、追加のケイ素結合ヒドロキシル基は、ペンダント位置に存在してもよい。
【０１５６】
直鎖状オルガノポリシロキサンは、シリコーン樹脂−直鎖状コポリマーの直鎖状構造となる。直鎖状オルガノポリシロキサンは、シリコーン樹脂−直鎖状コポリマーのＤＰを含む所望の特性に基づいて選択され得る。アセトキシシランは、典型的には、式Ｒ２ｑＳｉＸ４−ｑを有し、式中、Ｒ２は、置換又は非置換ヒドロカルビル基であり、Ｘはアセトキシ基であり、ｑは０又は１〜３から選択される整数である。特定の実施形態では、ｑは１であり、アセトキシシランはトリアルキルアセトキシシランである。トリアルキルアセトキシシランの例としては、メチルトリアセトキシシラン、エチルトリアセトキシシラン、又はこれらの組み合わせが挙げられる。上記式のアセトキシ基は、代替的な方法で任意の加水分解性基と置換されてもよい。
【０１５７】
少なくとも１つのケイ素結合水素原子を有する直鎖状オルガノポリシロキサンとアセトキシシランとの反応は、加水分解／縮合反応である。様々な実施形態において、反応は、任意の縮合触媒であり得る触媒の存在下で実施される。反応は、溶媒、例えば上記の好適なキャリア流体のいずれか中で実施することができる。
【０１５８】
好適な縮合触媒の例としては、カルボン酸、例えば蟻酸、酢酸、プロピオン酸、酪酸、及び／又は吉草酸などの酸；塩基；ジブチルスズジオクトエート、鉄ステアレート、及び／又は鉛オクトエートなどの有機酸の金属塩；テトライソプロピルチタネート及び／又はテトラブチルチタネートなどのチタン酸エステル；アセチルアセトナトチタンなどのキレート化合物；例えば、好適なヒドロシリル化反応用触媒として上記で説明したもののいずれかを含む、白金含有触媒などの遷移金属触媒；アミノプロピルトリエトキシシランなどが挙げられる。利用する場合、縮合触媒は、典型的には触媒量、例えば、直鎖状オルガノポリシロキサン及びアセトキシシランの組み合わせ重量を基準にした１００重量部に対して、０超〜５重量％、代替的に０．０００１〜１重量％、代替的に０．００１〜０．１重量％の量で利用される。
【０１５９】
アセトキシシラン及び直鎖状オルガノポリシロキサンの相対量は、変化し得る。特定の一実施形態では、アセトキシシランの相対量は、アセトキシシランに由来するケイ素のモルの、シリコーン樹脂に由来するケイ素のモルに対する比×１００に基づいて計算され、この比は、典型的には０超〜１２、代替的に１〜１０、代替的に１〜８である。
【０１６０】
アセトキシシリル化オルガノポリシロキサンは、直鎖状であり、典型的には、末端位置にアセトキシシリル基を含む。この第１の実施形態では、本方法は、アセトキシシリル化オルガノポリシロキサンを、少なくとも１つのケイ素結合ヒドロキシル基を有するシリコーン樹脂と反応させて、シリコーン樹脂−直鎖状コポリマーを得ることを更に含む。反応は、溶媒、例えば上記の好適なキャリア流体のいずれか中で実施することができる。
【０１６１】
シリコーン樹脂は、典型的には、シリコーン樹脂−直鎖状コポリマーの樹脂性構造に対応する式Ｒ１ＳｉＯ３／２を有する。シリコーン樹脂は、典型的には、当該技術分野において理解されるように、少なくとも一部のケイ素結合ヒドロキシル基を含む。したがって、アセトキシシリル化オルガノポリシロキサン及びシリコーン樹脂はまた、上記のように触媒され得る加水分解／縮合反応を介して反応する。シリコーン樹脂は、シリコーン樹脂−直鎖状コポリマーの所望の特性に基づいて選択される分子量を有し得る。
【０１６２】
アセトキシシリル化オルガノポリシロキサン及びシリコーン樹脂の相対量は様々であってよく、典型的には、シリコーン樹脂−直鎖状コポリマー中の樹脂性構造及び直鎖状構造の所望の比率又は量に基づいて選択され得る。シリコーン樹脂は、アセトキシシリル化オルガノポリシロキサンとシリコーン樹脂との組み合わせ重量に基づいて、１０〜７０重量％、代替的に２０〜５５重量％、代替的に３０〜５０重量％、代替的に４０〜５０重量％の量で局所的に利用される。
【０１６３】
第２の実施形態では、本方法は、少なくとも１つのケイ素結合水素原子、ヒドロキシル基、又はアルコキシ基を有する直鎖状オルガノポリシロキサンと、少なくとも１つのケイ素結合水素原子、ヒドロキシル基、又はアルコキシ基を有するシリコーン樹脂とを、ルイス酸触媒の存在下で反応させることを含む。この反応は脱水素反応である。
【０１６４】
直鎖状オルガノポリシロキサンがケイ素結合水素原子を含む場合、シリコーン樹脂はケイ素結合ヒドロキシル基又はアルコキシ基を含み、直鎖状オルガノポリシロキサンがケイ素原子結合ヒドロキシル基又はアルコキシ基を含む場合、シリコーン樹脂はケイ素結合水素原子を含む。
【０１６５】
直鎖状オルガノポリシロキサンのケイ素結合水素原子、ヒドロキシル基、又はアルコキシ基は、典型的には、直鎖状オルガノポリシロキサン中の末端である。しかしながら、更なるケイ素結合水素原子、ヒドロキシル基、又はアルコキシ基は、ペンダント位置に存在してもよい。
【０１６６】
脱水素反応は、溶媒、例えば上記の好適なキャリア流体のいずれかの中で実施することができる。典型的には、溶媒、直鎖状オルガノポリシロキサン、及びシリコーン樹脂は、容器内に配置され、加熱還流される。典型的には、容器の内容物は、均質な溶液となる。次に、Ｌｅｗ酸触媒を容器内に配置し、ガス状副生成物（水素、メタン）の形成をもたらす。ルイス酸触媒の量は、全固形分含量に基づいて、例えば、０超〜１，０００、代替的に５０〜５００、代替的に１００〜２００百万分率（ｐｐｍ）で変動し得る。
【０１６７】
ルイス酸触媒は、脱水素反応に好適な任意のルイス酸触媒であってもよい。本明細書で使用するのに好適なルイス酸触媒としては、例えば、各ヒドロカルビル又はハロゲン化ヒドロカルビル基中に１〜１０個の炭素を有する、トリ（ヒドロカルビル）アルミニウム−又はトリ（ヒドロカルビル）ホウ素化合物及びそのハロゲン化（過ハロゲン化）誘導体を含む、アルモキサン（修飾又は非修飾）、Ｃ１−３０ヒドロカルビル置換第１３族化合物が挙げられる。特定の実施形態では、ルイス酸触媒は、ペルフルオロ化トリ（アリール）ホウ素化合物、例えばトリス（ペンタフルオロフェニル）ボランを含む。
【０１６８】
ルイス酸触媒は、中性粉末及び濾過、例えばアルミナ粉末を介して除去されてもよい。
【０１６９】
上記で紹介したように、シリコーン樹脂−直鎖状コポリマー、又はシリコーン樹脂−直鎖状コポリマーを含む組成物を更に硬化させて、硬化生成物を得ることができる。硬化生成物は、物品、フィルム、コーティングなどであってもよい。例えば、シリコーン樹脂−直鎖状コポリマー、又はシリコーン樹脂−直鎖状コポリマーを含む組成物は、高温で、任意選択的に触媒の存在下、例えば上記で開示された縮合触媒のいずれかの存在下で、硬化され得る。
【０１７０】
いくつかの実施形態において、シリコーン樹脂−直鎖状コポリマーの硬化生成物は、２２５℃で５０時間のエージング後に、２２５℃で５０時間のエージング前のヤング率と実質的に差異のないヤング率を有する。いくつかの実施形態において、２２５℃で５０時間のエージング後のヤング率の、エージング前のヤング率に対する比は、３以下（例えば、エージング後に約２．５以下、約２．０以下、又は約１．５以下；又は約１〜約２．５、約１．２５〜約２、約１．５〜約１．８、又は約１．４〜約２．２５、この比が１である場合、エージングの前後のヤング率は同じであると理解される）である。
【０１７１】
実施形態１は、シリコーン樹脂−直鎖状コポリマーであって、
一般式（１）：
（Ｒ１Ｒ２Ｒ３ＳｉＯ１／２）ｘ（Ｒ４ＳｉＯ３／２）ｙ      （１）
［式中、各Ｒ１、Ｒ２、Ｒ３、及びＲ４は、独立して選択された置換又は非置換ヒドロカルビル基であり、但し、１つの分子中でＲ１、Ｒ２、及びＲ３のうちの少なくとも２つはアリール基であり、ｘ及びｙは各々、ｘ＋ｙ＝１となるように、＞０〜＜１である。］を有する樹脂性構造と、
一般式（２）：
（Ｒ５Ｒ６ＳｉＯ２／２）      （２）
［式中、Ｒ５及びＲ６は、各々独立して選択された置換又は非置換ヒドロカルビル基である。］を有する直鎖状構造と、を含み、
この樹脂性構造及び直鎖状構造は、シロキサン結合を介してシリコーン樹脂−直鎖状コポリマー中で一緒に結合される。
【０１７２】
実施形態２は、樹脂性構造が式（Ｐｈ２ＭｅＳｉＯ１／２）ｘ（ＭｅＳｉＯ３／２）ｙを有し、式中、ｘ及びｙが上記で定義されたものであり、Ｐｈはフェニル基を示し、Ｍｅはメチル基を示す、実施形態１のシリコーン樹脂−直鎖状コポリマーに関する。
【０１７３】
実施形態３は、樹脂性構造と直鎖状構造との間のシロキサン結合が、（Ｒ４ＳｉＯ３／２）単位のケイ素原子及び直鎖状構造のケイ素原子を含む、実施形態１又は２に記載のシリコーン樹脂−直鎖状コポリマーに関する。
【０１７４】
実施形態４は、樹脂性構造と直鎖状構造との間のシロキサン結合が、アセトキシシリル基から誘導されるものである、実施形態１〜３のいずれか１つに記載のシリコーン樹脂−直鎖状コポリマーに関する。
【０１７５】
実施形態５は、樹脂性構造と直鎖状構造との間のシロキサン結合が、ルイス酸触媒を用いた脱水素化で誘導されるものである、実施形態１〜３のいずれか１つに記載のシリコーン樹脂−直鎖状コポリマーに関する。
【０１７６】
実施形態６は、組成物であって、
（Ａ）実施形態１〜５のいずれか１つに記載のシリコーン樹脂−直鎖状コポリマーと、
（Ｂ）キャリア流体と、を含む、組成物に関する。
【０１７７】
実施形態７は、（Ｂ）キャリア流体が、２５℃で（Ｂ１）揮発性流体を含む、実施形態６の組成物に関する。
【０１７８】
実施形態８は、化粧品組成物として更に定義された実施形態６又は７の組成物に関する。
【０１７９】
実施形態９は、実施形態１〜５のいずれか１つに記載のシリコーン樹脂−直鎖状コポリマーを含むフィルム形成剤に関する。
【０１８０】
実施形態１０は、実施形態１〜５のいずれか１つに記載のシリコーン樹脂−直鎖状コポリマーを含む接着促進剤に関する。
【０１８１】
実施形態１１は、実施形態１〜５のいずれか１つに記載のシリコーン樹脂−直鎖状コポリマーを含む封入材に関する。
【０１８２】
実施形態１２は、実施形態１〜５のいずれか１つに記載のシリコーン樹脂−直鎖状コポリマーから形成されたフィルムを含む電子デバイスに関する。
【０１８３】
実施形態１３は、電子デバイス上でコンフォーマルコーティングを調製する方法であって、
電子デバイス上に組成物を塗布することと、
電子デバイス上にコンフォーマルコーティングを形成することと、を含み、
組成物が、実施形態６又は７に記載の組成物である、方法に関する。
【０１８４】
実施形態１４は、シリコーン樹脂−直鎖状コポリマーを調製する方法であって、
少なくとも１つのケイ素結合ヒドロキシル基を有する直鎖状オルガノポリシロキサンとアセトキシシランとを反応させて、アセトキシシリル化オルガノポリシロキサンを得ることと、
アセトキシシリル化オルガノポリシロキサンを、少なくとも１つのケイ素結合ヒドロキシル基を有するシリコーン樹脂と反応させて、シリコーン樹脂−直鎖状コポリマーを得ることと、を含み、
シリコーン樹脂−直鎖状コポリマーは、実施形態１〜５のいずれか１つのものである、方法に関する。
【０１８５】
実施形態１４は、シリコーン樹脂−直鎖状コポリマーを調製する方法であって、
ルイス酸触媒の存在下で、少なくとも１つのケイ素結合水素原子、ヒドロキシル基、又はアルコキシ基を有する直鎖状オルガノポリシロキサンを、少なくとも１つのケイ素結合水素原子、ヒドロキシル基、又はアルコキシ基を有するシリコーン樹脂と反応させることを含み、
但し、直鎖状オルガノポリシロキサンがケイ素結合水素原子を含む場合、シリコーン樹脂はケイ素結合ヒドロキシル基又はアルコキシ基を含み、直鎖状オルガノポリシロキサンがケイ素原子結合ヒドロキシル基又はアルコキシ基を含む場合、シリコーン樹脂はケイ素結合水素原子を含み、
シリコーン樹脂−直鎖状コポリマーが、実施形態１〜５のいずれか１つのものである、方法に関する。
【０１８６】
添付の特許請求の範囲は、詳細な説明に記載されている表現、及び特定の化合物、組成物又は方法に限定されず、これらは、添付の特許請求の範囲内にある特定の実施形態の間で変化し得ることが、理解されるべきである。本明細書で様々な実施形態の具体的な特徴又は態様の記述が依拠している任意のマーカッシュ群に関して、異なる、特殊な及び／又は不測の結果が、全ての他のマーカッシュ群の要素から独立して、それぞれのマーカッシュ群の各要素から得られる場合がある。マーカッシュグループの各メンバーは、個々に、及び、又は組み合わされて依拠とされ得、添付の特許請求の範囲内で、特定の実施形態を十分に裏付けることができる。
【０１８７】
更に、本発明の様々な実施形態を説明する際に依拠される任意の範囲及び部分範囲は、独立して及び総じて、添付の特許請求の範囲内に入り、たとえ、本明細書にその中の全部及び／又は一部の値が明記されていなくても、そのような値を包含する全範囲を説明及び想到するものと理解される。当業者は、列挙された範囲及び部分的範囲が、本発明の様々な実施形態を十分に説明し、可能にし、そのような範囲及び部分的範囲は、更に関連性がある２等分、３等分、４等分、５等分などに描かれ得ることを容易に認識する。単なる一例として、「０．１〜０．９」の範囲は、更に、下方の３分の１、すなわち、０．１〜０．３、中央の３分の１、すなわち、０．４〜０．６、及び上方の３分の１、すなわち、０．７〜０．９に描かれ得、これらは、個々に、及び包括的に、添付の特許請求の範囲内であり、個々に、及び／又は包括的に依拠とされ得、添付の特許請求の範囲内で、特定の実施形態を十分に裏付けることができる。更に、範囲を定義する、又は修飾する言葉、例えば「少なくとも」、「超」「未満」「以下」などに関して、そのような言葉は、部分範囲及び／又は上限若しくは下限を含むと理解されるべきである。別の例として、「少なくとも１０」の範囲は、少なくとも１０〜３５の部分範囲、少なくとも１０〜２５の部分範囲、２５〜３５の部分範囲などを本質的に含み、各部分範囲は、個々に、及び／又は包括的に依拠とされ得、添付の特許請求の範囲内で、特定の実施形態を十分に裏付けることができる。最終的に、開示した範囲内の個々の数が依拠とされ得、添付の特許請求の範囲内で、特定の実施形態を十分に裏付けることができる。例えば、「１〜９」の範囲は、様々な個々の整数、例えば３、並びに、小数点を含む個々の数（又は分数）、例えば４．１を含み、これは、依拠とされ得、添付の特許請求の範囲内で、特定の実施形態を十分に裏付けることができる。
【０１８８】
以下の実施例は、本発明を例示することを意図しており、決して本発明の範囲を限定するものとみなされるべきではない。
【０１８９】
シリコーン樹脂−直鎖状コポリマーは、本発明に従って調製される。
【０１９０】
例１
トルエン中の、ＤＰ１８４及び各末端にケイ素結合ヒドロキシル基を有する４８．８９グラムのポリジメチルシロキサン（ＰＤＭＳ）（トルエン中６５重量％のＰＤＭＳ）並びに１．５９グラムのアセトキシシラン（メチルトリアセトキシシラン及びエチルトリアセトキシシランの５０／５０モル比）をフラスコ内に配置し、室温で１時間反応させて、アセトキシシリル化ＰＤＭＳを得る。少なくとも１つのケイ素結合ヒドロキシル基を有する４０グラムのシリコーン樹脂（ＭＰｈ２Ｍｅ０．０５ＴＭｅ０．９５、トルエン中４２重量％）をフラスコ内に配置して、４５：５５のアセトキシシリル化ＰＤＭＳ対シリコーン樹脂の重量比を与える。反応を９０℃で４時間実施して、シリコーン樹脂−直鎖状コポリマーを得る。反応中に光学的に透明な溶液を維持するために、非反応性揮発性固体含量を２８％に維持した。
【０１９１】
シリコーン樹脂−直鎖状コポリマーは、一般式ＭＰｈ２Ｍｅ０．０２１ＤＭｅ２０．５５１ＴＥｔ０．００３ＴＭｅ０．４２６を有する。これは、シリコーン樹脂−直鎖状コポリマーの一般式であるが、Ｍ及びＴシロキシ単位は、樹脂性構造中に存在し、Ｄ単位は、ブロック形態で直鎖状構造中に存在する。シリコーン樹脂−直鎖状コポリマーは、ポリスチレン標準に基づいて較正されたゲル浸透クロマトグラフィ技術（ＧＰＣ）によって測定したとき、３４５，０００ｇ／モルの重量平均分子量（Ｍｗ）を有した。シリコーン樹脂−直鎖状コポリマーは、５．９９の多分散性を有し、６３３ナノメートル（ｎｍ）の波長並びに標準温度及び圧力において１．４２２の屈折率を有する透明な可撓性フィルムを形成した。
【０１９２】
例２
トルエン中の、ＤＰ１８４及び各末端にケイ素結合ヒドロキシル基を有する５５グラムのポリジメチルシロキサン（ＰＤＭＳ）（トルエン中３０．１重量％のＰＤＭＳ）並びに少なくとも１つのケイ素結合ヒドロキシル基を有するシリコーン樹脂（ＭＰｈ２Ｍｅ０．０７２ＴＭｅ０．９１９、５０．９５重量％、トルエン中）４５グラムの固体をフラスコ内に配置し、３０分間加熱還流させる。８５℃で、０．４グラムのルイス酸触媒（２００ｐｐｍのトリス−ペンタフルオロボランを得るために、トルエン中のトリス−ペンタフルオロボラン）をフラスコ内に配置する。バブリング及びフォーミングの発生は、ガスの発生及び脱水素反応の開始の証拠となる。フラスコの内容物を還流させながら３０分〜１時間加熱して、シリコーン樹脂−直鎖状コポリマーを含む反応生成物を得る。ルイス酸触媒は、アルミナ粉末上への吸着及びその後の濾過によって、反応生成物から除去される。アルミナ粉末は、固形分に基づいて、２重量％の量で利用した。脱水素反応は、反応生成物から任意の望ましくない副生成物を除去する。
【０１９３】
シリコーン樹脂−直鎖状コポリマーは、一般式ＭＰｈ２Ｍｅ０．０２１ＤＭｅ２０．５５１ＴＭｅ０．４２６を有する。これは、シリコーン樹脂−直鎖状コポリマーの一般式であるが、Ｍ及びＴシロキシ単位は、樹脂性構造中に存在し、Ｄ単位は、ブロック形態で直鎖状構造中に存在する。シリコーン樹脂−直鎖状コポリマーは、ポリスチレン標準に基づいて較正されたゲル浸透クロマトグラフィ技術（ＧＰＣ）によって測定したとき、２１５，０００ｇ／モルの重量平均分子量（Ｍｗ）を有した。
【実施例１】
【０１９４】
実施例１のシリコーン樹脂−直鎖状コポリマーを用いて、様々なフィルム形成剤を調製する。
【０１９５】
実施例１のシリコーン樹脂−直鎖状コポリマーは、式Ｍ０．４３Ｑ０．５７を有するトリメチルシリル化ケイ酸塩ナノ粒子の形態のＭＱ樹脂とブレンドされる。実施例１のシリコーン樹脂−直鎖状コポリマー及びＭＱ樹脂をフラスコ内に配置し、回転ホイールで１２時間混合する。混合物中２０重量％、４０重量％、及び７０重量％のＭＱ樹脂濃度で様々なブレンドを作製し、この様々なブレンドの全ては、光学的に透明であり、これは、これらのＭＱ樹脂濃度において、望ましく、かつ驚くべきことである。様々なブレンドを鋳型の凹みに注ぎ、溶媒を室温で１２時間蒸発させ、次いで１２０℃で１時間加熱することにより、実施例１の様々なブレンドからフィルムを調製し、乾燥フィルムを得る。乾燥フィルムは、１６０℃で３時間加熱することによって硬化される。フィルムは、光学的に透き通って／透明であり、これは望ましく、かつ驚くべきことである。
【０１９６】
以下の表１は、様々なＭＱ樹脂濃度で実施例１で形成されたフィルムの様々な特性を含む。
【０１９７】
【表１】
2019537634.tif 000002
【実施例２】
【０１９８】
実施例２のシリコーン樹脂−直鎖状コポリマーを用いて、様々なフィルム形成剤を調製する。
【０１９９】
実施例２のシリコーン樹脂−直鎖状コポリマーは、式Ｍ０．４３Ｑ０．５７を有するトリメチルシリル化ケイ酸塩ナノ粒子の形態のＭＱ樹脂とブレンドされる。実施例２のシリコーン樹脂−直鎖状コポリマー及びＭＱ樹脂をフラスコ内に配置し、回転ホイールで１２時間混合する。混合物中２０重量％、４０重量％、及び７０重量％のＭＱ樹脂濃度で様々なブレンドを作製し、この様々なブレンドの全ては、光学的に透明であり、これは、これらのＭＱ樹脂濃度において、望ましく、かつ驚くべきことである。様々なブレンドを鋳型の凹みに注ぎ、溶媒を室温で１２時間蒸発させ、次いで１２０℃で２時間加熱することにより、実施例１の様々なブレンドからフィルムを調製し、乾燥フィルムを得る。乾燥フィルムは、１６０℃で３時間加熱することによって硬化される。フィルムは、光学的に透き通って／透明であり、これは望ましく、かつ驚くべきことである。
【０２００】
本発明は、例示的な様式で説明されており、使用されている用語は限定目的よりも、むしろ説明のための言葉としての性質が意図されているものと理解されるべきである。明らかに、本発明の多くの修正及び変更が上記教示から可能である。本発明は、具体的に記載した方法のとおり以外の方法でも実施され得る。
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
シリコーン樹脂−直鎖状コポリマーであって、
一般式（１）：
（Ｒ１Ｒ２Ｒ３ＳｉＯ１／２）ｘ（Ｒ４ＳｉＯ３／２）ｙ      （１）
［式中、各Ｒ１、Ｒ２、Ｒ３、及びＲ４は、独立して選択された置換又は非置換ヒドロカルビル基であり、但し、１つの分子中でＲ１、Ｒ２、及びＲ３のうちの少なくとも２つはアリール基であり、ｘ及びｙは各々、ｘ＋ｙ＝１となるように、０超〜１未満である。］を有する樹脂性構造と、
一般式（２）：
（Ｒ５Ｒ６ＳｉＯ２／２）      （２）
［式中、Ｒ５及びＲ６は、各々独立して選択された置換又は非置換ヒドロカルビル基である。］を有する直鎖状構造と、を含み、
前記樹脂性構造及び前記直鎖状構造が、シロキサン結合を介して、前記シリコーン樹脂−直鎖状コポリマー中で一緒に結合される、シリコーン樹脂−直鎖状コポリマー。
【請求項２】
前記樹脂性構造が、式（Ｐｈ２ＭｅＳｉＯ１／２）ｘ（ＭｅＳｉＯ３／２）ｙを有し、式中、ｘ及びｙは、上記で定義されるものであり、Ｐｈは、フェニル基を表し、Ｍｅは、メチル基を表す、請求項１に記載のシリコーン樹脂−直鎖状コポリマー。
【請求項３】
（ｉ）前記樹脂性構造と前記直鎖状構造との間の前記シロキサン結合が、アセトキシシリル基から誘導されるか、又は（ｉｉ）前記樹脂性構造と前記直鎖状構造との間のシロキサン結合が、ルイス酸触媒を用いた脱水素から誘導される、請求項１〜２のいずれか一項に記載のシリコーン樹脂−直鎖状コポリマー。
【請求項４】
組成物であって、
（Ａ）請求項１〜３のいずれか一項に記載のシリコーン樹脂−直鎖状コポリマーと、
（Ｂ）キャリア流体と、を含む、組成物。
【請求項５】
請求項１〜３のいずれか一項に記載のシリコーン樹脂−直鎖状コポリマーを含む、フィルム形成剤。
【請求項６】
請求項１〜３のいずれか一項に記載のシリコーン樹脂−直鎖状コポリマーを含む、接着促進剤。
【請求項７】
請求項１〜３のいずれか一項に記載のシリコーン樹脂−直鎖状コポリマーを含む、封止材。
【請求項８】
請求項１〜３のいずれか一項に記載のシリコーン樹脂−直鎖状コポリマーから形成されたフィルムを含む、電子デバイス。
【請求項９】
電子デバイス上でコンフォーマルコーティングを調製する方法であって、
前記電子デバイス上に組成物を塗布することと、
前記電子デバイス上に前記コンフォーマルコーティングを形成することと、を含み、
前記組成物が、請求項４に記載の組成物である、方法。
【請求項１０】
シリコーン樹脂−直鎖状コポリマーを調製する方法であって、
少なくとも１つのケイ素結合ヒドロキシル基を有する直鎖状オルガノポリシロキサンを、アセトキシシランと反応させて、アセトキシシリル化オルガノポリシロキサンを得ることと、
前記アセトキシシリル化オルガノポリシロキサンを、少なくとも１つのケイ素結合ヒドロキシル基を有するシリコーン樹脂と反応させて、前記シリコーン樹脂−直鎖状コポリマーを得ることと、を含み、
前記シリコーン樹脂−直鎖状コポリマーが、請求項１〜３のいずれか一項に記載のコポリマーである、方法。
【請求項１１】
シリコーン樹脂−直鎖状コポリマーを調製する方法であって、
ルイス酸触媒の存在下で、少なくとも１つのケイ素結合水素原子、ヒドロキシル基、又はアルコキシ基を有する直鎖状オルガノポリシロキサンを、少なくとも１つのケイ素結合水素原子、ヒドロキシル基、又はアルコキシ基を有するシリコーン樹脂と反応させることを含み、
但し、前記直鎖状オルガノポリシロキサンが前記ケイ素結合水素原子を含む場合、前記シリコーン樹脂は、ケイ素結合ヒドロキシル基又はアルコキシ基を含み、前記直鎖状オルガノポリシロキサンが前記ケイ素原子結合ヒドロキシル基又はアルコキシ基を含む場合、前記シリコーン樹脂は、前記ケイ素結合水素原子を含み、
前記シリコーン樹脂−直鎖状コポリマーが、請求項１〜３のいずれか一項に記載のコポリマーである、方法。
【国際調査報告】
2019537634.tif 000003
2019537634.tif 000004